(57)【要約】【課題】解錠符号の設定変更作業を従来に比べて容易かつ確実に行うことができるプッシュボタン錠を提供する。【解決手段】プッシュボタン錠は、操作摘みと、押しボタンが押動された際にクリア位置から押込み位置へと変位する操作用ロッドと、操作用ロッドのスライド方向と直交する方向にスライド自在な第１プレート部材と、第１プレート部材の収容孔に収容され、操作用ロッドの各々に装着されると共に収容孔内をスライド自在とし、操作用ロッドの軸方向のうち第１保持位置と当該第１保持位置よりも押しボタンに近接した第２保持位置へと付け替え可能な付け替え部材と、操作摘みの動作を規制可能な規制手段と、第１プレート部材をスライドさせ、付け替え部材が操作用ロッドに装着された初期位置と操作用ロッドから離脱した離脱位置との間で付け替え部材の着脱状態を切り替える切り替え手段を備える。【選択図】図１
2014129678.tif 000002
【特許請求の範囲】
【請求項１】
複数の押しボタンが出没可能に取り付けられたハウジングと、
前記ハウジングに取り付けられ、施錠対象物の相手側部材に係脱可能なストッパーの姿勢を変更可能な操作摘みと、
前記押しボタンの出没方向へスライド自在かつ前記押しボタンの各々に対応して前記ハウジングに設けられ、対応する前記押しボタンが押動された際に前記ハウジング内に押し込まれることでクリア位置から押込み位置へと変位する操作用ロッドと、
前記ハウジング内に収容され、前記操作用ロッドのスライド方向と直交する方向にスライド自在に設けられた第１プレート部材と、
前記第１プレート部材に形成された収容孔に収容され、前記操作用ロッドの各々に装着されると共に当該操作用ロッドに連動して前記収容孔内をスライド自在とし、かつ、前記操作用ロッドの軸方向のうち所定の第１保持位置と当該第１保持位置よりも前記押しボタンに近接した第２保持位置へと選択的に付け替え可能な付け替え部材と、
前記操作摘みの動作を規制可能であって、前記付け替え部材が前記第１保持位置に装着されている操作用ロッドの全てが前記クリア位置にあり、かつ、前記付け替え部材が前記第２保持位置に装着されている操作用ロッドの全てが前記押込み位置にあるときに前記操作摘みの動作の規制を解除する規制手段と、
前記第１プレート部材をスライドさせることによって、前記付け替え部材が前記操作用ロッドに装着された状態に維持される初期位置と前記付け替え部材が前記操作用ロッドから離脱した状態に維持される離脱位置との間で、前記操作用ロッドに対する前記付け替え部材の着脱状態を切り替える切り替え手段と、
を備える、プッシュボタン錠。
【請求項２】
前記操作用ロッドが前記クリア位置から前記押込み位置へと変位した際、当該操作用ロッドを当該押込み位置に保持する保持手段を更に備える、
請求項１に記載のプッシュボタン錠。
【請求項３】
前記ハウジング内に収容され、前記操作用ロッドのスライド方向と直交する方向にスライド自在に設けられた第２プレート部材と、
前記操作用ロッドを前記初期位置に変位させるクリア手段と、
を更に備え、
前記保持手段は、前記操作用ロッドが前記押込み位置に変位した際に当該操作用ロッドに形成された被係合部と係合可能な、前記第２プレート部材の表面に立設された係合部を有し、
前記クリア手段は、前記操作用ロッドを前記押込み位置から前記クリア位置に戻す方向に付勢する付勢部材と、前記第２プレート部材をスライドさせることで前記係合部と前記被係合部との係合を解除させるスライド手段と、を有する、
請求項２に記載のプッシュボタン錠。
【請求項４】
前記付け替え部材の各々には凹部又は凸部からなる被嵌合部が形成され、
前記規制手段は、前記第１プレート部材に設けられると共に前記付け替え部材の前記被嵌合部にそれぞれ嵌合可能な嵌合部を有し、かつ、
全ての前記嵌合部が前記被嵌合部に嵌合しているときに前記操作摘みの動作の規制を解除し、前記付け替え部材が前記第１保持位置に装着されている少なくとも何れかの操作用ロッドが前記押込み位置にあり、又は、前記付け替え部材が前記第２保持位置に装着されている少なくとも何れかの操作用ロッドが前記クリア位置にあるときに、前記被嵌合部と前記嵌合部との嵌合状態を解除させることで前記操作摘みの動作を規制する、
請求項１から３の何れか一項に記載のプッシュボタン錠。
【請求項５】
使用者によって少なくとも所定の通常位置と設定位置との間で切り替え可能な操作スイッチ部を更に備え、
前記切り替え手段は、前記操作スイッチ部が前記通常位置に操作されているときに前記第１プレート部材を前記初期位置に保持し、前記操作スイッチ部が前記通常位置から前記設定位置に切り替えられたときに前記第１プレート部材を前記初期位置から前記離脱位置にスライドさせる、
請求項１から４の何れか一項に記載のプッシュボタン錠。
【請求項６】
使用者によって少なくとも所定の通常位置とリセット位置との間で切り替え可能な操作スイッチ部を更に備え、
前記クリア手段は、前記操作スイッチ部が前記通常位置から前記リセット位置に切り替えられたときに、前記スライド手段に前記第２プレート部材をスライドさせることで前記係合部と前記被係合部との係合を解除させる、
請求項３に記載のプッシュボタン錠。
【請求項７】
前記操作スイッチ部は、更に、所定の設定位置に切り替えが可能であって、
前記切り替え手段は、前記操作スイッチ部が前記通常位置から前記設定位置に切り替えられたときに、前記第１プレート部材を前記初期位置から前記離脱位置にスライドさせる、
請求項６に記載のプッシュボタン錠。
【発明の詳細な説明】
【技術分野】
【０００１】
本発明は、プッシュボタン錠に関する。
【背景技術】
【０００２】
従来、ドアや扉等の施錠対象物を施錠する錠前装置において、鍵を使用せず、押しボタンを用いた解錠符号入力式のプッシュボタン錠が広く知られている（例えば、特許文献１等を参照）。この種のプッシュボタン錠は、機械的手法により施解錠を行うため、いわゆる電子錠に比べて、配線が不要で、メンテナンスの軽減を図ることができるなどの利点がある。
【０００３】
プッシュボタン錠として、解錠符号（解錠番号、暗証番号）を任意に設定することができる解錠符号設定機構を備えたものが知られている。従来方式による解錠符号設定機構として、ハウジングの背面側（押しボタンが設けられていない方の面）に各押しボタンに対応する個別の操作スイッチ（以下、「個別操作スイッチ」という）を配置し、この個別操作スイッチを個別に切り替えることによって、解錠符号の設定を変更する構造が提案されている。
【先行技術文献】
【特許文献】
【０００４】
【特許文献１】特開２００５−２８２０３２号公報
【特許文献２】特開２０１０−２０３１０７号公報
【特許文献３】特開２００６−２４１９３１号公報
【発明の概要】
【発明が解決しようとする課題】
【０００５】
しかしながら、上記従来方式による解錠符号設定機構は、解錠符号の設定変更作業を、視認しにくいハウジングの背面に設けられた個別操作スイッチを個別に切り替える作業をユーザ（使用者）に強いることになり、解錠符号の設定変更作業が行いにくいという課題があった。例えば、プッシュボタン錠を引き出しの扉に適用した場合、引き出しの内部空間に臨むハウジングの背面を直接覗き込むことはユーザにとって容易ではない。このように、従来方式による解錠符号設定機構においては、プッシュボタン錠の設置条件次第では、解錠符号の設定変更作業を行い難いばかりか、ユーザの意図通りに新たな解錠符号が設定されない、いわゆる解錠符号の設定ミス（エラー）を招く虞がある。
【０００６】
本発明は、上記実情に鑑みてなされたものであり、その目的は、解錠符号の設定変更作業を従来に比べて容易かつ確実に行うことができるプッシュボタン錠を提供することにある。
【課題を解決するための手段】
【０００７】
上記目的を達成するための本発明は、以下の手段を採用した。すなわち、本発明に係るプッシュボタン錠は、複数の押しボタンが出没可能に取り付けられたハウジングと、前記ハウジングに取り付けられ、施錠対象物の相手側部材に係脱可能なストッパーの姿勢を変更可能な操作摘みと、前記押しボタンの出没方向へスライド自在かつ前記押しボタンの各々に対応して前記ハウジングに設けられ、対応する前記押しボタンが押動された際に前記ハウジング内に押し込まれることでクリア位置から押込み位置へと変位する操作用ロッドと、前記ハウジング内に収容され、前記操作用ロッドのスライド方向と直交する方向にスライド自在に設けられた第１プレート部材と、前記第１プレート部材に形成された収容孔
に収容され、前記操作用ロッドの各々に装着されると共に当該操作用ロッドに連動して前記収容孔内をスライド自在とし、かつ、前記操作用ロッドの軸方向のうち所定の第１保持位置と当該第１保持位置よりも前記押しボタンに近接した第２保持位置へと選択的に付け替え可能な付け替え部材と、前記操作摘みの動作を規制可能であって、前記付け替え部材が前記第１保持位置に装着されている操作用ロッドの全てが前記クリア位置にあり、かつ、前記付け替え部材が前記第２保持位置に装着されている操作用ロッドの全てが前記押込み位置にあるときに前記操作摘みの動作の規制を解除する規制手段と、前記第１プレート部材をスライドさせることによって、前記付け替え部材が前記操作用ロッドに装着された状態に維持される初期位置と前記付け替え部材が前記操作用ロッドから離脱した状態に維持される離脱位置との間で、前記操作用ロッドに対する前記付け替え部材の着脱状態を切り替える切り替え手段と、を備える。
【０００８】
また、本発明に係るプッシュボタン錠は、前記操作用ロッドが前記クリア位置から前記押込み位置へと変位した際、当該操作用ロッドを当該押込み位置に保持する保持手段を更に備えていてもよい。
【０００９】
また、本発明に係るプッシュボタン錠は、前記ハウジング内に収容され、前記操作用ロッドのスライド方向と直交する方向にスライド自在に設けられた第２プレート部材と、前記操作用ロッドを前記初期位置に変位させるクリア手段と、を更に備え、前記保持手段は、前記操作用ロッドが前記押込み位置に変位した際に当該操作用ロッドに形成された被係合部と係合可能な、前記第２プレート部材の表面に立設された係合部を有し、前記クリア手段は、前記操作用ロッドを前記押込み位置から前記クリア位置に戻す方向に付勢する付勢部材と、前記第２プレート部材をスライドさせることで前記係合部と前記被係合部との係合を解除させるスライド手段と、を有していてもよい。
【００１０】
また、本発明に係るプッシュボタン錠において、前記付け替え部材の各々には凹部又は凸部からなる被嵌合部が形成され、前記規制手段は、前記第１プレート部材に設けられると共に前記付け替え部材の前記被嵌合部にそれぞれ嵌合可能な嵌合部を有し、かつ、全ての前記嵌合部が前記被嵌合部に嵌合しているときに前記操作摘みの動作の規制を解除し、前記付け替え部材が前記第１保持位置に装着されている少なくとも何れかの操作用ロッドが前記押込み位置にあり、又は、前記付け替え部材が前記第２保持位置に装着されている少なくとも何れかの操作用ロッドが前記クリア位置にあるときに、前記被嵌合部と前記嵌合部との嵌合状態を解除させることで前記操作摘みの動作を規制するように構成されていてもよい。
【００１１】
また、本発明に係るプッシュボタン錠は、使用者によって少なくとも所定の通常位置と設定位置との間で切り替え可能な操作スイッチ部を更に備え、前記切り替え手段は、前記操作スイッチ部が前記通常位置に操作されているときに前記第１プレート部材を前記初期位置に保持し、前記操作スイッチ部が前記通常位置から前記設定位置に切り替えられたときに前記第１プレート部材を前記初期位置から前記離脱位置にスライドさせるように構成されていてもよい。
【００１２】
また、本発明に係るプッシュボタン錠は、使用者によって少なくとも所定の通常位置とリセット位置との間で切り替え可能な操作スイッチ部を更に備え、前記クリア手段は、前記操作スイッチ部が前記通常位置から前記リセット位置に切り替えられたときに、前記スライド手段に前記第２プレート部材をスライドさせることで前記係合部と前記被係合部との係合を解除させるように構成されていてもよい。この場合、前記操作スイッチ部は、更に、所定の設定位置に切り替えが可能であってもよい。そして、前記切り替え手段は、前記操作スイッチ部が前記通常位置から前記設定位置に切り替えられたときに、前記第１プレート部材を前記初期位置から前記離脱位置にスライドさせるように構成されていてもよ
い。
【発明の効果】
【００１３】
本発明によれば、解錠符号の設定変更作業を従来に比べて容易に行うことができるプッシュボタン錠を提供することができる。
【図面の簡単な説明】
【００１４】
【図１】実施形態に係るボタン錠の正面図である。
【図２】実施形態に係るボタン錠の背面図である。
【図３】実施形態に係るボタン錠の分解斜視図である。
【図４】実施形態に係るボタン錠の分解斜視図である。
【図５】実施形態に係るボタン錠の斜視図である。
【図６】実施形態に係るボタン錠の正面図である。
【図７】実施形態に係るボタン錠の内部断面構造を示す図である。
【図８】実施形態に係るシリンダーとストッパーの連結機構を示す図である。
【図９】実施形態に係るシリンダーの斜視図である。
【図１０】実施形態に係る操作摘みの斜視図である。
【図１１】実施形態に係る操作摘みをシリンダーに装着した状態を示す図である。
【図１２】実施形態に係る操作摘みとシリンダーとの連結部を示す図である。
【図１３】実施形態に係るシリンダーの内部構造を示す図である。
【図１４】実施形態に係るインジケータの斜視図である。
【図１５】実施形態に係るシリンダーとインジケータとの関係を示す図である。
【図１６】実施形態に係る外筒の斜視図である。
【図１７】実施形態に係るシリンダーの鍵穴に非常解錠鍵を挿入した状態示す図である。
【図１８】実施形態に係るシリンダーの鍵穴にシリンダー交換鍵を挿入した状態を示す図である。
【図１９】実施形態に係る非常解錠鍵およびシリンダー交換鍵を示す図である。
【図２０】実施形態に係るシリンダーの鍵穴に非常解錠鍵を挿入した際のシリンダーの内部状態を示す図である。
【図２１】実施形態に係るシリンダーの鍵穴に非常解錠鍵を挿入した際のシリンダーの内部状態を示す図である。
【図２２】実施形態に係るシリンダーの鍵穴にシリンダー交換鍵を挿入した際のシリンダーの内部状態を示す図である。
【図２３】実施形態に係るシリンダーの鍵穴にシリンダー交換鍵を挿入した際のシリンダーの内部状態を示す図である。
【図２４】実施形態に係るボタン錠の内部構造を示す図である。
【図２５】実施形態に係るボタン錠の操作用ロッドの設置状態を示す図である。
【図２６】実施形態に係るボタン錠の操作用ロッドと押しボタンとの相対関係を示す図である。
【図２７】実施形態に係る操作用ロッドと可動ブロックとの関係を示す図である。
【図２８】実施形態に係る操作用ロッドと可動ブロックとの関係を示す図である。
【図２９】実施形態に係るミドルプレートと操作用ロッドとの関係を示す図である。
【図３０】実施形態に係るスライドプレートおよびスライドロッドを示す図である。
【図３１】実施形態に係るスライドプレートの拡大図である。
【図３２】実施形態に係るスライドロッドとロッドリターンプレートとを示す図である。
【図３３】実施形態に係るロッドリターンプレートの詳細構造を説明する説明図である。
【図３４】実施形態に係るフック付きアームと外筒の外筒爪部との関係を示す図である。
【図３５】実施形態に係るフックベースとフック付きアームとの連結状態を示す図である。
【図３６】ロッド第１保持状態にある操作用ロッドを示す図である。
【図３７】ロッド第２保持状態にある操作用ロッドを示す図である。
【図３８】実施形態に係る可動ブロックの凹部とスライドロッドの突起部との相対関係を示す図である。
【図３９】実施形態に係るボタン錠の押しボタンが解錠符号に揃っていない状態を示す図である。
【図４０】実施形態に係るアームと外筒の外筒爪部とが係合している状態を示す図である。
【図４１】実施形態に係るロッドリターンプレートのスライドに連動して爪部と操作用ロッドとの嵌合状態が解除された状態を示す図である。
【図４２】実施形態に係る実施形態に係るフック付きアームと外筒の外筒爪部との係合が解除された状態を示す図である。
【図４３】実施形態に係るロッドリターンプレートのピン受け部と設定変更スイッチのピンとの関係を示す図である。
【図４４】実施形態に係るロッドリターンプレートのピン受け部と設定変更スイッチのピンとの関係を示す図である。
【図４５】解錠符号設定時において、操作用ロッドに対する可動ブロックの嵌め合いが解除された状態を示す図である。
【図４６】解錠符号設定時において、操作用ロッドに対する可動ブロックの嵌め合いが解除された状態を示す図である。
【図４７】実施形態に係る可動ブロックの凹部とスライドロッドの突起部との相対関係を示す図である。
【発明を実施するための形態】
【００１５】
以下に図面を参照して、この発明を実施するための形態を例示的に詳しく説明する。なお、本実施の形態に記載されている構成要素の寸法、材質、形状、その相対配置等は、特に特定的な記載がない限りは、発明の技術的範囲をそれらのみに限定する趣旨のものではない。
【００１６】
＜全体構成＞
図１は、実施形態に係る機械式のプッシュボタン錠（以下、単に「ボタン錠」という）１００の正面図（前面図）である。図２は、実施形態に係るボタン錠１００の背面図（後面図）である。図３、図４は、ボタン錠１００の分解斜視図である。図５は、ボタン錠１００を背面側から眺めた外観斜視図である。ボタン錠１００は、当該ボタン錠１００を構成する各種部品を収容、保護するハウジングとしてアッパーケース２およびロアケース３等を有する。アッパーケース２およびロアケース３は、図３、図４に示す各種部品を内部に配置した状態で、互いに嵌め合わされることで、ハウジングを構成している。なお、ハウジングの構造、形状等には、言うまでも無く種々の変更を加えることができる。また、図１および図２に示すように、アッパーケース２の外面にはフロントパネル２１が装着され、ロアケース３の外面にはリアパネル３０が装着されている。
【００１７】
アッパーケース２に装着されたフロントパネル２１は、アッパーケース２の正面側を覆っている。本実施形態では、ボタン錠１００における上下、左右方向を図１に示すように定義する。また、上下、左右方向に直交する方向を前後方向として定義し、フロントパネル２１側が前方であり、ロアケース３側が後方として扱うものとする。但し、ボタン錠１００の上下、左右、前後方向は、外部的な参照基準に対する位置関係を特定するものではなく、ボタン錠１００における各部同士の相対的な位置関係を特定しているに過ぎない。
【００１８】
ボタン錠１００のフロントパネル２１には、複数の押しボタン２２、クリアボタン２３、操作摘み４、表示窓２４等が設けられている。また、フロントパネル２１における各押しボタン２２の近傍には、押しボタン２２に対応する符号（数字、記号、文字等を含む）が印字、刻印などされている。図２に示す例では、ボタン錠１００は、１１個の押しボタン２２を有しており、０〜９、および※マークが対応する押しボタン２２の隣に印字されている。但し、ボタン錠１００が備える押しボタン２２の個数や、フロントパネル２１に印字する符号の種類はボタン錠１００の仕様に応じて変更できる。なお、フロントパネル２１には、押しボタン２２やクリアボタン２３等を出没可能とするために適した形状および大きさを有するボタン用開口部２１１が設けられており、このボタン用開口部２１１を通じて押しボタン２２等が出没可能となっている。
【００１９】
押しボタン２２は、フロントパネル２１に形成されたボタン用開口部２１１を通じて、ハウジングの内外に進退（出没）自在となっている。後述するように、ボタン錠１００は、解錠符号（いわゆる暗証番号）に則した押しボタン２２の押動操作がなされることによって解錠することができる。ボタン錠１００が解錠状態にある場合、使用者（扱い者）は、操作摘み４を回動させ、ボタン錠１００のストッパー１０の開閉操作を行うことができる。ストッパー１０は、ハウジングに取り付けられ、施錠対象物の相手側部材に係脱可能である。操作摘み４は、ストッパー１０に連結されており、操作摘み４を回動させることでストッパー１０の姿勢を変更できる。使用者は、操作摘み４の位置合わせマーク４１を、ＯＰＥＮ位置２５と、ＣＬＯＳＥ位置２６の何れかに合わせることで、施錠対象物の相手側部材に対するストッパー１０の係止、離脱状態を切り替える切り替え操作を行うことができる。
【００２０】
例えば、図１に示す状態では、操作摘み４の位置合わせマーク４１は、ＯＰＥＮ位置２５の位置に合わせられているため、この状態ではストッパー１０は施錠対象物の相手側部材から離脱している。一方、使用者が、図６に示すように、操作摘み４を回動させて、位置合わせマーク４１をＣＬＯＳＥ位置２６に合わせると、ストッパー１０の姿勢が図１に示す離脱位置から図６に示す係止位置に変更され、ストッパー１０が施錠対象物の相手側部材に係止される。また、ボタン錠１００が施錠状態にある場合、操作摘み４の回動操作が規制される。表示窓２４は、操作摘み４が、ＯＰＥＮ位置とＣＬＯＳＥ位置との何れの位置に合わせられているかを表示するものである。本実施形態では、操作摘み４がＯＰＥＮ位置２５のときに緑色、ＣＬＯＳＥ位置２６のときに赤色となるように、表示窓２４の表示態様が切り替わる仕様となっている、この態様には限定されない。
【００２１】
通常使用時において、ボタン錠１００の施錠および解錠操作（以下、あわせて「施錠・解錠操作」ともいう。）は、使用者が押しボタン２２を解錠符号に合わせて押動することによって行われる。例えば、解錠符号が「１２４６」である場合、フロントパネル２１に表示されている符号のうち、解錠符号に該当する「１」、「２」、「４」、「６」に対応する押しボタン２２のみが押下され、かつ、それ以外の押しボタン２２が押下されない場合に、ボタン錠１００が解錠される。この場合、上記のように、操作摘み４を回動させることによる開閉操作が可能となる。詳しくは後述するが、ボタン錠１００は、操作摘み４の動作を規制可能であって、押しボタン２２の押動操作に伴い、解錠符号に対応する操作用ロッドのみが押込み位置にあるときに前記操作摘みの動作の規制を解除する規制手段を有する。ここでいう操作摘み４の開閉操作とは、操作摘み４の位置をＯＰＥＮ位置２５からＣＬＯＳＥ位置２６、或いはＣＬＯＳＥ位置２６からＯＰＥＮ位置２５へと切り替える操作をいう。以下では、前者の操作を「閉操作」と称し、後者の操作を「開操作」と称する。
【００２２】
また、図２に示した様に、ボタン錠１００の背面側には、設定変更スイッチ１１が設け
られている。設定変更スイッチ１１は、ボタン錠１００の解錠符号の設定を変更する際に使用されるスイッチである。ボタン錠１００は、この設定変更スイッチ１１を使用して、ボタン錠１００の解錠符号を任意に設定することができる。なお、ボタン錠１００の通常使用時においては、設定変更スイッチ１１は、固定位置に合わせられている。ボタン錠１００における解錠符号の設定方法の詳細については、後述する。
【００２３】
＜シリンダー錠機構＞
ボタン錠１００は、使用者が解錠符号を忘れた場合、ボタン錠１００を強制的に解錠するためのシリンダー錠機構（以下、「シリンダー」という）５を備える（図７を参照）。シリンダー５は、操作摘み４とストッパー１０との間に介在し、所定の解錠鍵を使用することで、後述する規制手段が規制している操作摘み４の動作の規制を強制的に解除可能である。
【００２４】
図７は、シリンダー５における軸線方向に沿った縦断面を通るボタン錠１００の断面図である。シリンダー５は、その軸線方向に沿って形成された鍵穴５１を有する錠機構であり、外筒６の内側に回動自在に保持されている。外筒６は、アッパーケース２の一部として形成される円筒スリーブ部２７の内側に配置されている。詳しくは後述するが、この円筒スリーブ部２７の前端部には、インジケータ１３が嵌め込まれている。また、図１に示すように、シリンダー５および外筒６の前端側は、操作摘み４によって覆われている。外筒６は、アッパーケース２の円筒スリーブ部２７に対して回動自在に取り付けられている。また、外筒６の内周側には、シリンダー５が回動自在かつ摺動自在に装着されている。但し、通常時においては、外筒６に対してシリンダー５は係止されており、シリンダー５の鍵穴５１に後述する非常解錠鍵またはシリンダー交換鍵が挿入された場合を除いて、外筒６に対するシリンダー５の相対回動および摺動は規制（禁止）されるように構成されている。
【００２５】
図８は、シリンダー５と駆動シャフト１２とストッパー１０との関係を示す図である。駆動シャフト１２の後端部には軸部１２１が形成されている。ストッパー１０には、駆動シャフト１２の軸部１２１を挿入可能な取り付け孔１０１が形成されており、軸部１２１が取り付け孔１０１に挿入された状態で駆動シャフト１２とストッパー１０とが固定される。シリンダー５の後端部には円柱状の接続ピン５２が形成されており、駆動シャフト１２の前端面には円筒状の中空部１２２が開口している。中空部１２２は、駆動シャフト１２の軸方向に沿って伸びており、シリンダー５の接続ピン５２が嵌合されることで、シリンダー５および駆動シャフト１２が一体に連結される。
【００２６】
図９は、実施形態に係るシリンダー５の斜視図である。図１０は、実施形態に係る操作摘み４の斜視図である。図１１は、実施形態に係るシリンダー５に操作摘み４を装着した状態を示す斜視図である。シリンダー５には、このシリンダー５を径方向に貫通するスロットが形成されている。
【００２７】
図９に示すように、シリンダー５の前端部には、板状の係合部５３が接合されている。係合部５３には、鍵挿通孔５３１が貫通して形成されている。鍵挿通孔５３１は、シリンダー交換鍵や非常解錠鍵を挿通可能である。更に、係合部５３は、鍵挿通孔５３１の長辺方向と平行に設けられた溝部５３２を有する。溝部５３２は、その一端が係合部５３の一の側面に開口している。また、係合部５３は、シリンダー５の側方へ突出した突出部５３３を有している。
【００２８】
図１０に示すように、操作摘み４には、操作摘み４を軸方向に貫通する鍵挿通孔４１が形成されている。鍵挿通孔４１は、シリンダー交換鍵や非常解錠鍵をシリンダー５の鍵挿通孔５３１および鍵穴５１に導くための貫通孔である。操作摘み４の後端面（背面）には
、ガイド突起４２および一対の係合爪部４３が設けられている。係合爪部４３は、シリンダー５の係合部５３とスライドさせることにより、係脱自在となっている。これによって、シリンダー５に対して操作摘み４を着脱自在に装着することができる。但し、シリンダー５に対する操作摘み４の着脱は、シリンダー５が外筒６から引き抜かれた状態において許容され、図７等に示すように外筒６にシリンダー５が装着された状態では操作摘み４の着脱が規制される。
【００２９】
操作摘み４のガイド突起４２は、鍵挿通孔４１の長辺（長手）方向に沿って形成されている。ガイド突起４２は、シリンダー５に設けられた係合部５３の溝部５３２の同寸または僅かに小さな幅寸法を有する。シリンダー５に対して操作摘み４を装着する際、操作摘み４のガイド突起４２がシリンダー５側の溝部５３２に進入する。その際、係合部５３と係合爪部４３との相対的なスライド移動がガイドされることで、シリンダー５に対する操作摘み４の着脱を円滑に行うことができる。
【００３０】
図１３に示すように、各スロットの内部には、タンブラー５４と、このタンブラー５４を付勢するスロットスプリング５５が配置される。なお、シリンダー５において最も後端側に位置するスロット内に配置されたタンブラーを「ストッパータンブラー」と称し、符号５４Ｓで示すことで他のタンブラー（以下、「一般タンブラー」という）５４Ｇと区別する。なお、一般タンブラー５４Ｇとストッパータンブラー５４Ｓとをあわせて、「タンブラー５４」と総称する。
【００３１】
スロットスプリング５５は、スロットの開口部を通じてタンブラー５４をスロットの外部に押し出すように付勢している。タンブラー５４は、シリンダー交換鍵や非常解錠鍵を挿通可能な鍵穴５１、タンブラー５４における側方に突出した第１突起部５６および第２突起部５７等を有する。第１突起部５６は、スロットスプリング５５に係合している。
【００３２】
図１４は、本実施形態に係るインジケータ１３の斜視図である。インジケータ１３は、筒形状を有し、かつ、その軸方向の途中で径が相違する段付き筒部本体１３１と、この段付き筒部本体１３１の外周面に設けられた表示部１３２を備える。表示部１３２は、第１表示領域１３２Ａと第２表示領域１３２Ｂとに分かれており、それぞれで表示態様（外観）が異なっている。
【００３３】
インジケータ１３の筒部本体１３１は、小径筒部１３１Ａと大径筒部１３１Ｂとを有する。筒部本体１３１の内周面において、小径筒部１３１Ａと大径筒部１３１Ｂとの間には段差部１３１Ｃが形成されている。また、上述した表示部１３２は扇形を有し、大径筒部１３１Ｂから径方向に向けて突出形成されている。更に、小径筒部１３１Ａは、その周方向の一区間に切欠き部１３１Ｄが形成されており、平面視で略Ｃ字形状を有している。インジケータ１３は、図７に示した円筒スリーブ部２７の前端面に被さるように装着されている。その際、インジケータ１３は、円筒スリーブ部２７の前端部がインジケータ１３の段差部１３１Ｃに突き合わされた状態となるように円筒スリーブ部２７に装着される。また、図１５に示すように、シリンダー５における係合部５３の突出部５３３は、インジケータ１３における小径筒部１３１Ａの切欠き部１３１Ｄに受け入れられている。このように、シリンダー５側の突出部５３３とインジケータ１３側の切欠き部１３１Ｄの縁部とを係合させることで、シリンダー５が回動した際にはインジケータ１３も連動して回動するようになっている。
【００３４】
図１６は、実施形態に係る外筒６の斜視図である。外筒６の内周面には、一対の係止溝６１が、シリンダー５を収容する収容空間を挟んで真向かい（向い合わせ）となる位置に形成されている。また、外筒６における内周面のうち、一対の係止溝６１のちょうど中間地点には、シリンダー交換用溝６２が設けられている。各係止溝６１およびシリンダー交
換用溝６２は、外筒６の軸方向に沿って伸びるように形成されている。シリンダー交換用溝６２は、外筒６の周方向において、一対の係止溝６１から９０°周方向にずれた位置に設けられている。各係止溝６１の幅は、一般タンブラー５４Ｇの幅よりも僅かに大きい。一方、シリンダー交換用溝６２の幅は一般タンブラー５４Ｇの幅よりも小さい。また、外筒６の前端面には、その一部がコ字状に切り欠かれた凹部６３が形成されている。円筒スリーブ部２７にインジケータ１３が装着され、かつ、外筒６が円筒スリーブ部２７の内側に設置されると、外筒６の前端面は、インジケータ１３の前端面と面一になる位置に配置される（図７を参照）。更に、外筒６の底部側の領域には、係止溝６１およびシリンダー交換用溝６２が形成される領域に比べて内径が一段大きく形成された拡径部６５が形成されており、その境界には段差部６４が形成されている（図７を参照）。
【００３５】
ところで、ボタン錠１００は、使用者が解錠符号を忘れた場合等の際に、非常解錠鍵を使用して強制的に解錠することが可能となっている。図１７は、非常解錠鍵１４をシリンダー５の鍵穴５１に挿入した状態を示している。また、上記のように、ボタン錠１００は、シリンダー交換専用のシリンダー交換鍵を用いてシリンダー５を外筒６から引き抜き、交換することができる。図１８は、シリンダー交換鍵１５をシリンダー５の鍵穴５１に挿入した状態を示している。なお、図１７および図１８において、シリンダー５に装着される操作摘み４の図示を省略している。
【００３６】
図１９は、非常解錠鍵１４およびシリンダー交換鍵１５を示す図である。非常解錠鍵１４は、把持部１４１及び差込部１４２を有し、差込部１４２の上下面に鍵溝１４３が刻まれている。同様に、シリンダー交換鍵１５は、把持部１５１および差込部１５２を有し、差込部１５２の上下面に鍵溝１５３が刻まれている。シリンダー交換鍵１５の差込部１５２は、非常解錠鍵１４の差込部１４２に比べて長い。シリンダー交換鍵１５の差込部１５２は、その先端部を除いて、非常解錠鍵１４と共通の鍵溝（以下、「第１鍵溝」と称する。）ＫＣ１が形成されている。鍵溝が共通との意味とは、鍵溝の形状、深さ等が一致することを指す。更に、シリンダー交換鍵１５は、差込部１５２の先端部に、第２鍵溝ＫＣ２が形成されている。一方、非常解錠鍵１４は、第２鍵溝ＫＣ２を有していない。
【００３７】
ところで、シリンダー５の各スロットは、第１鍵溝ＫＣ１および第２鍵溝ＫＣ２に対応する鍵溝読取位置に設けられている。非常解錠鍵１４およびシリンダー交換鍵１５のいずれも鍵穴５１に挿入されていない場合、図１３に示すように、スロットスプリング５５によってシリンダー５の第１突起部５６がスロットの外側に付勢され、一般タンブラー５４Ｇがスロットの開口部に向かって移動し、スロットから突出した一般タンブラー５４Ｇが外筒６の係止溝６１に係止される。その結果、外筒６に対してシリンダー５の相対回転が制限（規制）される。
【００３８】
一方、非常解錠鍵１４がシリンダー５の鍵穴５１に挿入されると、一般タンブラー５４Ｇが第１鍵溝ＫＣ１によってスロット内部に完全に引き込まれる（図１７を参照）。その結果、図２０に示すように、一般タンブラー５４Ｇと係止溝６１との係合が解除される。このようにして、全ての一般タンブラー５４Ｇが外筒６の係止溝６１との係止状態が解除されることで、外筒６に対するシリンダー５の相対回転が可能となる。なお、非常解錠鍵１４がシリンダー５の鍵穴５１に挿入された場合、非常解錠鍵１４は第２鍵溝ＫＣ２を有していないため、ストッパータンブラー５４Ｓの一端Ｘがシリンダー５のスロットから外方に突出した状態となっている（図１７、図２１を参照）。ストッパータンブラー５４Ｓにおける端部Ｘの幅は、一般タンブラー５４Ｇの幅と同一であり、外筒６におけるシリンダー交換用溝６２の幅よりも大きい。シリンダー５は、鍵穴５１にシリンダー交換鍵１５が挿入されていないときには、スロットスプリング５５の付勢力によって端部Ｘがスロットから外部に突出するように構成されている。
【００３９】
上記のように、シリンダー交換鍵１５は、非常解錠鍵１４と同一の第１鍵溝ＫＣ１を有している。そのため、非常解錠鍵１４の代わりにシリンダー交換鍵１５を鍵穴５１に挿入した場合においても、図２０に示すように、全ての一般タンブラー５４Ｇが外筒６の係止溝６１との係止状態が解除されることになる。このように、非常解錠鍵１４もしくはシリンダー交換鍵１５を鍵穴５１に挿入した際には、シリンダー５の一般タンブラー５４Ｇの係止状態が解除されるため、外筒６に対するシリンダー５の相対回転が可能となる。従って、使用者は、鍵穴５１に挿入された状態の非常解錠鍵１４またはシリンダー交換鍵１５を回転させ、ストッパー１０の姿勢を係止位置から離脱位置へと変更させることで、施錠対象物を強制的に解錠できる。
【００４０】
また、シリンダー５を外筒６から引き抜いて交換する際には、図１８に示すように、シリンダー５の鍵穴５１にシリンダー交換鍵１５を挿入する。シリンダー５の鍵穴５１にシリンダー交換鍵１５が挿入されると、図１８、図２２、図２３に示すように、シリンダー交換鍵１５の第２鍵溝ＫＣ２によって、ストッパータンブラー５４Ｓの端部Ｘがスロットに完全に引き込まれ、ストッパータンブラー５４Ｓの端部Ｙがスロットから突出する。ストッパータンブラー５４Ｓの端部Ｙは、外筒６におけるシリンダー交換用溝６２の幅よりも若干狭くなっている。よって、ストッパータンブラー５４Ｓの端部Ｙとシリンダー交換用溝６２との平面的な位置を合わせることで、外筒６からシリンダー５を抜き取ることが可能となる。シリンダー５を外筒６から引き抜いた後は、操作摘み４とシリンダー５とをスライドさせて、操作摘み４の係合爪部４３とシリンダー５の係合部５３との係合を解除させる。これにより、操作摘み４をシリンダー５から取り外すことができる。その後、新たなシリンダー５を操作摘み４に装着し、操作摘み４が装着されたシリンダー５を外筒６に装着する。なお、シリンダー５の鍵穴５１にシリンダー交換鍵１５が挿入されていない場合には、ストッパータンブラー５４Ｓの端部Ｘが外筒６の段差部６４に引っ掛かるため、外筒６からシリンダー５を抜き取ることは規制される。
【００４１】
ここで、新たなシリンダー５に操作摘み４を装着する場合、係合爪部４３に対して、鍵挿通孔４１の延在方向に直交する方向（横方向）からシリンダー５の係合部５３をスライドさせ、係合部５３を係合爪部４３によって係止させる。その際、操作摘み４のガイド突起４２がシリンダー５側の溝部５３２に進入することで、係合部５３と係合爪部４３との相対的なスライド移動がガイドされるため、シリンダー５に対する操作摘み４の着脱を円滑に行うことができる。
【００４２】
シリンダー５に対して操作摘み４を装着する際、溝部５３２に対するガイド突起４２の進入量が溝部５３２の長さに達した時点で、溝部５３２およびガイド突起４２の端部同士が当接（衝突）する。こうして、溝部５３２およびガイド突起４２の端部同士が衝突すると、溝部５３２に対するガイド突起４２のそれ以上の進入が制限（規制）される（図１１、１２等を参照）。本実施形態では、鍵挿通孔４１，５３１がちょうど重なり合う時点で、溝部５３２およびガイド突起４２の端部同士が当接するように、溝部５３２およびガイド突起４２の相対関係を規定している。これによれば、シリンダー５に操作摘み４を装着する際、溝部５３２およびガイド突起４２の端部同士が当接するまで係合部５３と係合爪部４３とを互いにスライドさせるだけで、鍵挿通孔４１，５３１がちょうど重なり合うような位置へのシリンダー５および操作摘み４の位置合わせを簡単に行うことができる。
【００４３】
操作摘み４がシリンダー５に装着された状態では、係合爪部４３と係合部５３とが操作摘み４やシリンダー５の軸方向に重なった状態、すなわちシリンダー５の係合部５３が係合爪部４３の下に潜り込んだ状態になる（図１１を参照）。従って、この状態でシリンダー５および操作摘み４を軸方向に引き離そうとする外力が作用しても、シリンダー５と操作摘み４とが離反する動きが規制される。つまり、例えば図７に示すように、シリンダー５が外筒６内に保持された状態にある場合、仮に第三者が無理やり操作摘み４を引っ張っ
ても、操作摘み４がシリンダー５から外れることが抑制される。よって、本実施形態に係るボタン錠１００によれば、シリンダー５を外筒６からシリンダー交換鍵１５を使用して正当に引き抜かない限り、シリンダー５の前端面が外部に露出されることがない。これにより、第三者によって、ボタン錠１００の正面からシリンダー５の鍵穴５１の位置、状態が視認されることを抑制でき、ピッキングによる不正解錠や鍵穴５１に異物が挿入されるなどといった悪戯（イタズラ）の被害に遭うことを回避できる。
【００４４】
また、ボタン錠１００の通常使用時においては、ピッキングや悪戯の被害に遭い難いといった利益を享受しつつ、シリンダー５を交換する際には操作摘み４を容易にシリンダー５に対して着脱することができる。つまり、シリンダー５の交換に際して、シリンダー５のみを交換し、操作摘み４についてはシリンダー５の交換後も使い回すことが可能となる。よって、ボタン錠１００の製造コストを好適に低く抑えることができる。
【００４５】
＜ボタン錠機構＞
次に、ボタン錠１００におけるボタン錠機構について詳しく説明する。ボタン錠１００のハウジングの内部には、アッパーケース２側からスライドプレート７、ミドルプレート８、ロッドリターンプレート９が、これらの順に並んで配置されている。ミドルプレート８は、ロアケース３に固定されたプレート部材であり、ハウジングの内部を２つの空間に分割している。以下、ハウジング内部のうち、ミドルプレート８よりも前方、すなわちミドルプレート８とアッパーケース２によって画定される収容空間を第１収容部と称する。また、ハウジング内部のうち、ミドルプレート８よりも後方、すなわちミドルプレート８とロアケース３によって画定される収容空間を第２収容部と称する。
【００４６】
［操作用ロッド］
図２４は、ボタン錠１００の内部構造を説明する説明図であり、具体的には、アッパーケース２の内面（裏面）側からハウジングの内部を眺めた状態を示している。図２４に示すように、アッパーケース２には、複数の貫通孔であるロッド挿通孔３１が設けられており、このロッド挿通孔３１には、図２５に示すように操作用ロッド３２の一部が挿通可能となっている。図２５には、操作用ロッド３２の断面が示されている。また、図２６には、操作用ロッド３２と押しボタン２２との相対関係が示されている。図２７に、操作用ロッド３２の上面図および側面図を示す。ボタン錠１００のハウジングには、押しボタン２２毎に対応して複数の操作用ロッド３２が取り付けられている。操作用ロッド３２は、ハウジングに対する押しボタン２２の出没方向へスライド自在にハウジングに設けられている。図示のように、操作用ロッド３２は、長手方向の一端側から胴部本体３２１、首部３２２、頭部３２３を有している。
【００４７】
操作用ロッド３２における胴部本体３２１は略四角柱形状を有している。一方、首部３２２および頭部３２３は略円柱形状を有し、これらは胴部本体３２１に比べて横断面が小さい。操作用ロッド３２は、ロッド挿通孔３１に対して、首部３２２および頭部３２３を挿通可能となっているが、胴部本体３２１を挿通させることはできない。また、操作用ロッド３２における首部３２２と頭部３２３との境界部位には、括れ形状を有する括れ部が形成されている。操作用ロッド３２は、頭部３２３および首部３２２を、アッパーケース２の内面側からロッド挿通孔３１を挿通させた状態で、図２５に示すように、ロッド保持用のロッドスプリング３２４がアッパーケース２の外面と操作用ロッド３２の括れ部との間に介装されている。これにより、操作用ロッド３２は、ボタン錠１００の前後方向に押動可能な態様でアッパーケース２に対して保持される。
【００４８】
また、図２６に示すように、押しボタン２２は、フロントパネル２１に形成されたボタン用開口部２１１に比べて断面積が小さなボタン部２２１と、ボタン用開口部２１１に比べて断面積が大きなベース部２２２とを有する。押しボタン２２のベース部２２２は、フ
ロントパネル２１の裏側に配置されており、押しボタン２２がフロントパネル２１のボタン用開口部２１１から抜け落ちることを防止している。また、押しボタン２２のベース部２２２の裏側には、ボタンスプリング２２３が装着されている。このボタンスプリング２２３は、押しボタン２２のベース部２２２とアッパーケース２との間に縮んだ状態で挟まれており、押しボタン２２を前方に押圧している。なお、図２６には、上述したロッドスプリング３２４の図示を省略している。
【００４９】
以上より、押しボタン２２は、ボタンスプリング２２３によってボタン用開口部２１１から押し出される方向に常に押圧されている。また、操作用ロッド３２は、ロッドスプリング３２４によって、ロッド挿通孔３１から押し出される方向に常に押圧されている。使用者がボタンスプリング２２３の付勢力に抗して押しボタン２２を押動した場合、押しボタン２２のベース部２２２が操作用ロッド３２の頭部３２３を押すため、押しボタン２２の押動操作に連動して操作用ロッド３２も軸方向に変位する。その後、使用者の指が押しボタン２２から離れると、ボタンスプリング２２３の付勢力によって、押しボタン２２が、図２６に示す初期位置まで戻される。なお、押しボタン２２の初期位置とは、図示に示すように、押しボタン２２がボタン用開口部２１１に埋没していない位置をいう。
【００５０】
図２５、図２７に示すように、操作用ロッド３２における胴部本体３２１の後端には、溝部３２５が設けられている。溝部３２５の溝底は、操作用ロッド３２の軸方向に対して傾斜した傾斜面３２５ａとして形成されており、後述するロッドリターンプレート９における傾斜突部９４と係合可能となっている。更に、図２７に示すように、操作用ロッド３２の胴部本体３２１には、複数対の凹部が設けられている。符号３２１ａ，３２１ａは第１凹部対、符号３２１ｂ，３２１ｂは第２凹部対である。この第１凹部対３２１ａ，３２１ａおよび第２凹部対３２１ｂ，３２１ｂは、ロッドリターンプレート９の爪部９１と係合可能である。ロッドリターンプレート９の爪部９１は、第１凹部対３２１ａ，３２１ａおよび第２凹部対３２１ｂ，３２１ｂと、選択的に係合することができる。なお、図２７に示すように、第１凹部対３２１ａ，３２１ａおよび第２凹部対３２１ｂ，３２１ｂは、胴部本体３２１の底面と側面との境界をなす角部に形成されており、胴部本体３２１の軸方向（長手方向）に関しては、第１凹部対３２１ａ，３２１ａに比べて第２凹部対３２１ｂ，３２１ｂの方が内側に形成されている。また、第１凹部対３２１ａ，３２１ａと第２凹部対３２１ｂ，３２１ｂの形状および大きさは同等である。
【００５１】
図２７中の符号３２１ｃ，３２１ｃは第３凹部対、符号３２１ｄ，３２１ｄは第４凹部対である。第３凹部対３２１ｃ，３２１ｃおよび第４凹部対３２１ｄ，３２１ｄも、第１凹部対３２１ａ，３２１ａおよび第２凹部対３２１ｂ，３２１ｂと同様に、胴部本体３２１の底面と側面との境界をなす角部に形成されている。胴部本体３２１の軸方向において、第３凹部対３２１ｃ，３２１ｃは第２凹部対３２１ｂ，３２１ｂよりも前端側に配置され、第４凹部対３２１ｄ，３２１ｄは更に第３凹部対３２１ｃ，３２１ｃよりも前端側に配置されている。なお、第３凹部対３２１ｃ，３２１ｃと第４凹部対３２１ｄ，３２１ｄの形状および大きさは同等である。更に、図２６中の符号３２１ｅ，３２１ｅは第１凸部対、符号３２１ｆ，３２１ｆは第２凸部対、符号３２１ｇ，３２１ｇは第３凸部対である。第１凸部対３２１ｅ，３２１ｅ、第２凸部対３２１ｆ，３２１ｆ、第３凸部対３２１ｇ，３２１ｇは、胴部本体３２１の上面と側面との境界をなす角部に形成されており、胴部本体３２１の後端側からこれらの順に配置されている。第１凸部対３２１ｅ，３２１ｅ、第２凸部対３２１ｆ，３２１ｆ、第３凸部対３２１ｇ，３２１ｇの形状および大きさは同等である。
【００５２】
操作用ロッド３２における第３凹部対３２１ｃ，３２１ｃ、第４凹部対３２１ｄ，３２１ｄ、第１凸部対３２１ｅ，３２１ｅ、第２凸部対３２１ｆ，３２１ｆ、第３凸部対３２１ｇ，３２１ｇは、図３、４に示される可動ブロック３３を嵌め合いによって装着する際
に用いられる。図２７には、可動ブロック３３が、操作用ロッド３２に装着された状態が示されており、一の操作用ロッドには一の可動ブロック３３が装着される。可動ブロック３３は、略コの字形の形状を有する部材であり、底壁部３３１と、この底壁部３３１の両端から立設する一対の側壁部３３２を有する（図３、４等を参照）。可動ブロック３３は、本発明における付け替え部材に相当する。
【００５３】
可動ブロック３３における側壁部３３２の上端内側には、ブロック側第１凹部対３３３ａ，３３３ａ、ブロック側第２凹部対３３３ｂ，３３３ｂが、所定間隔だけ離れて設けられている。また、ブロック側第１凹部対３３３ａ，３３３ａおよびブロック側第２凹部対３３３ｂ，３３３ｂの略中間位置であって、底壁部３３１における下端内側には、ブロック側凸部対３３３ｃ，３３３ｃが設けられている。可動ブロック３３のブロック側第１凹部対３３３ａ，３３３ａは、操作用ロッド３２における第１凸部対３２１ｅ，３２１ｅ又は第２凸部対３２１ｆ，３２１ｆを選択的に受け入れ可能であり、ブロック側第２凹部対３３３ｂ，３３３ｂは、操作用ロッド３２における第２凸部対３２１ｆ，３２１ｆ又は第３凸部対３２１ｇ，３２１ｇを選択的に受け入れ可能である。また、可動ブロック３３のブロック側凸部対３３３ｃ，３３３ｃは、操作用ロッド３２における第３凹部対３２１ｃ，３２１ｃ又は第４凹部対３２１ｄ，３２１ｄに対して選択的に嵌合可能である。
【００５４】
図２７に示す例では、可動ブロック３３におけるブロック側第１凹部対３３３ａ，３３３ａ、ブロック側第２凹部対３３３ｂ，３３３ｂ、ブロック側凸部対３３３ｃ，３３３ｃがそれぞれ、操作用ロッド３２における第１凸部対３２１ｅ，３２１ｅ、第２凸部対３２１ｆ，３２１ｆ、第３凹部対３２１ｃ，３２１ｃと係合することで、操作用ロッド３２の第１保持位置に可動ブロック３３が保持されている。一方、操作用ロッド３２は、図２８に示すように、第１保持位置に比べて前端側（頭部３２３側）の第２保持位置に可動ブロック３３を保持することが可能である。ここで、操作用ロッド３２における第２保持位置は、第１保持位置に比べて、相対的に押しボタン２２に近接した位置といえる。可動ブロック３３が操作用ロッド３２の第２保持位置に保持される場合、ブロック側第１凹部対３３３ａ，３３３ａ、ブロック側第２凹部対３３３ｂ，３３３ｂがそれぞれ操作用ロッド３２における第２凸部対３２１ｆ，３２１ｆ、第３凸部対３２１ｇ，３２１ｇを受け入れ、ブロック側凸部対３３３ｃ，３３３ｃが操作用ロッド３２における第４凹部対３２１ｄ，３２１ｄに嵌合された状態となる。以上のように、可動ブロック３３は、操作用ロッド３２に対して保持される位置を、第１保持位置と第２保持位置との間で選択的に切り替えることが可能である。また、可動ブロック３３の底壁部３３１の外面には、略四角錐形状を有する凹部３３４が設けられている。
【００５５】
［ミドルプレート］
上記のように、ミドルプレート８は、ロアケース３に固定された略矩形の平面形状を有するプレート部材であり、ハウジング内部を大きく第１収容部および第２収容部に区画している。図３および図４に示したように、ミドルプレート８には、可動ブロック３３を収容可能なブロック収容凹部８１が操作用ロッド３２の数だけ設けられている。ブロック収容凹部８１は、ハウジング内の第１収容部側に面して開口している。なお、ブロック収容凹部８１は、可動ブロック３３よりも僅かに大きな断面を有している。また、ブロック収容凹部８１の背面には、可動ブロック３３を支持するための底板が設けられており、この底板には各操作用ロッド３２の胴部本体３２１を挿通可能なロッド挿通孔８１ａが設けられている。また、図中の符号８２は、後述する検索ピン３４をガイドするスリーブであり、ミドルプレート８においてスリーブ８２で囲まれた領域には、上述したブロック収容凹部８１およびロッド挿通孔８１ａとは異なる貫通孔８３が形成されている。この貫通孔８３は、検索ピン３４を挿通するために使用する孔であるが、詳細については後述する。
【００５６】
図２９は、ミドルプレート８と操作用ロッド３２との関係を示す図である。ミドルプレ
ート８のロッド挿通孔８１ａの開口断面積は、可動ブロック３３の断面よりも小さく、操作用ロッド３２の胴部本体３２１の断面よりも僅かに大きい。操作用ロッド３２は、頭部３２３および首部３２２がアッパーケース２のロッド挿通孔３１に挿通され、胴部本体３２１がミドルプレート８のロッド挿通孔８１ａに挿通される。その結果、操作用ロッド３２は、ハウジングの第１収容部内で姿勢が斜めに傾くことがなく、図２９に示すような正規の姿勢に保持される。
【００５７】
［スライドプレート／スライドロッド／ロッドリターンプレート］
図３０は、スライドプレート７の後面、すなわちミドルプレート８に対向する方の面を示す図である。スライドプレート７は、ハウジング内における第１収容部、すなわちアッパーケース２とミドルプレート８との間に配置されている。図３および図４からも明らかなように、スライドプレート７は、ミドルプレート８と対向して配置される。そして、スライドプレート７の後面は、ミドルプレート８の前面に摺接しつつ、ハウジング内において上下方向に所定の範囲内でスライド自在である。また、スライドプレート７は、ハウジングの第１収容部の内部において、上下方向にスライド自在に収容されている。スライドプレート７は、本発明における第１プレート部材に相当する。
【００５８】
スライドプレート７には、四角形と楕円形を連結したような形状の貫通孔７１を複数有している。スライドプレート７における貫通孔７１は、ボタン錠１００の押しボタン２２に対応する数だけ、押しボタン２２に対応するような位置に設けられている。ここで、貫通孔７１のうち、略四角形を有する部分を「ブロック収容孔部７１ａ」と称し、略楕円形を有する部分を「検索ピン挿通孔部７１ｂ」と称する。上記のように、スライドプレート７はハウジング内（第１収容部）の上下方向、すなわち操作用ロッド３２のスライド方向と直交する方向にスライド可能であるところ、スライドプレート７のブロック収容孔部７１ａのそれぞれがミドルプレート８のブロック収容凹部８１と位置が合致した状態、すなわち対応するブロック収容孔部７１ａとブロック収容凹部８１との位置が前後に重なった状態となるようなスライドプレート７の位置を「初期基準位置（通常位置）」として定義する。
【００５９】
図３１は、スライドプレート７を部分的に拡大した拡大図である。図３１には、スライドプレート７を背面側から眺めた状態を示している。図示のように、スライドプレート７のブロック収容孔部７１ａには、操作用ロッド３２の胴部本体３２１に保持された可動ブロック３３が収容されている。可動ブロック３３は、操作用ロッド３２の軸方向に沿ってスライド自在にブロック収容孔部７１ａに収容される。また、スライドプレート７の検索ピン挿通孔部７１ｂには、図４にも示される検索ピン３４が挿通される。検索ピン３４は、ボタン錠１００の解錠符号（暗証番号）を検索するために使用される部材である。検索ピン３４は、円柱状のピン本体部３４１と、このピン本体部３４１の途中に設けられるとともに該ピン本体部３４１の側方に向けて突出する係止片３４２と、ピン本体部３４１に介装される検索ピン用スプリング３４３とを有する。
【００６０】
図２４に示されるように、アッパーケース２におけるロッド挿通孔３１の近傍には、検索ピン３４の基端部を挿入可能な位置決め用開口部３５が設けられており、この位置決め用開口部３５に検索ピン３４の基端部が挿入される。図３１に示すように、スライドプレート７の検索ピン挿通孔部７１ｂに挿通された検索ピン３４は、その係止片３４２が可動ブロック３３の後端面に当接した状態で位置決めされる。つまり、ボタン錠１００の組み立て時において、可動ブロック３３の後端面に係止片３４２が当接するまで検索ピン３４が押し込まれる。このようにして、検索ピン３４は、操作用ロッド３２の各々に取り付けられ、当該操作用ロッド３２の軸方向に沿って押しボタン２２の後方に向かって伸びるような姿勢で配置される。なお、ボタン錠１００を組み立てる際、検索ピン３４の検索ピン用スプリング３４３は、ロアケース３の裏面と係止片３４２との間で挟まれるため、原形
よりも縮められた状態に保持される。したがって、検索ピン用スプリング３４３の復元力は、検索ピン３４の係止片３４２を可動ブロック３３側に押し付ける方向に作用する。
【００６１】
更に、スライドプレート７の下側短辺には、下方に向けてピン状のスプリング保持部７２が突出しており、このスプリング保持部７２にガイドスプリング７３が装着されている。スプリング保持部７２に装着されたガイドスプリング７３は、スライドプレート７の下側短辺とアッパーケース２の内壁面との間に挟まれ、縮んだ状態で保持されている。その結果、スライドプレート７に対して、ガイドスプリング７３が伸びようとする方向への付勢力が作用する。また、スライドプレート７の下側角部には、略矩形状の貫通孔である角穴部７４が設けられている。この角穴部７４には、図２や図４等に示す設定変更スイッチ１１の扇形部１１１が挿入されている（図３０を参照）。
【００６２】
図４に示されるように、スライドプレート７には、スライドロッド４０を収容可能な収容凹部７５が形成されている。収容凹部７５は、スライドロッド４０を、その軸方向にスライド自在に収容している。より具体的には、スライドプレート７に対するスライドロッド４０の相対スライド方向は、ハウジングの第１収容部内におけるスライドプレート７のスライド方向と一致している。また、図３０には、収容凹部７５にスライドロッド４０を収容した状態のスライドプレート７が示されている。図３２に示されるように、スライドロッド４０は、軸本体部４１と、この軸本体部４１の側方から突設される複数の腕部４２を有している。スライドロッド４０の腕部４２は、押しボタン２２に対応して設けられている。また、各腕部４２の先端には、側面視略三角形状を有する突起部４３が形成されている。腕部４２の突起部４３は、可動ブロック３３に形成された略角錐形状を有する凹部３３４と係合可能である。スライドロッド４０における突起部４３と可動ブロック３３における凹部３３４との係合、およびその解除については後述する。
【００６３】
スライドロッド４０における軸本体部４１の下端部近傍には、矩形状のロッド貫通孔４４が形成されている。軸本体部４１の軸方向へのロッド貫通孔４４の開口幅は、ロッドリターンプレート９の立ち上り部９２の幅よりも大きい。これにより、ロッドリターンプレート９の立ち上り部９２をロッド貫通孔４４に挿通させた状態で、立ち上り部９２を所定の範囲でスライドさせることができる。なお、図３に示すように、スライドプレート７側にも、スライドロッド４０のロッド貫通孔４４と同等の貫通孔７６が形成されている。スライドプレート７に設けられた貫通孔７６は、収容凹部７５にスライドロッド４０を収容した状態で、スライドロッド４０のロッド貫通孔４４と平面的な位置が合致するように配置されている。なお、ロッドリターンプレート９における立ち上り部９２の詳細については後述する。
【００６４】
更に、スライドロッド４０の軸本体部４１の下端部には、棒形状を有するアーム制御部４５が下方に向けて突設されている。アーム制御部４５の途中には、鍔部４５１が形成されており、この鍔部４５１によって、アーム制御部４５が先端側の第１領域部４５２と、基端側の第２領域部４５３とに区分されている。スライドロッド４０のアーム制御部４５は、図２４に示されるアーム３６の姿勢を制御（変更）することができる。ここで、図４および図２４を参照してアーム３６を説明すると、アーム３６は、円筒形状を有する軸受け部３６１と、この軸受け部３６１から突設される連結部３６２と回転ストッパー３６３とを有している。
【００６５】
軸受け部３６１は、アッパーケース２の裏面から突設された回転軸３７に回転自在に軸支されている。また、アーム３６の連結部３６２および回転ストッパー３６３は、互いに反対方向に軸受け部３６１から突出している。連結部３６２の端部には、略Ｕ字形を有する連結用爪が形成されており、この連結用爪にアーム制御部４５の鍔部４５１を連結することで、アーム制御部４５およびアーム３６を接続している。その結果、スライドプレー
ト７に保持（収容）されたスライドロッド４０が、ハウジング内を上下方向にスライドする際、これに連動してアーム３６の姿勢を変更することができるように構成されている。なお、アーム３６の作動状況に関する詳細は、後述する。
【００６６】
また、図２４に示すように、アーム制御部４５の第１領域部４５２および第２領域部４５３には、第１スプリング４５４および第２スプリング４５５がそれぞれ縮んだ状態で装着されている。第１スプリング４５４は、アーム３６の連結部３６２とアッパーケース２の側壁との間に挟まれており、連結部３６２を上方に向かって付勢している。また、第２スプリング４５５は、アーム３６の連結部３６２と軸本体部４１の下端部との間に挟まれており、スライドロッド４０を上方に向かって付勢している。アーム３６の回転ストッパー３６３は、その姿勢によって、外筒６の外周部に設けられた扇形の外周突起片６６と係合することが可能である。詳しくは後述するが、外筒６の外周突起片６６が回転ストッパー３６３によって係止されている状態では、操作摘み４の開操作に対応する方向への外筒６の回動動作が規制（制限）される。一方、外筒６の外周突起片６６が回転ストッパー３６３に係止されていない状態では、操作摘み４の開操作に対応する方向への外筒６の回動動作は規制されない。
【００６７】
次に、図３、図３２、図３３等に基づいてロッドリターンプレート９の詳細について説明する。なお、図３３は、ロッドリターンプレート９の詳細構造を説明する説明図であり、ハウジングの内側からロアケース３の内面を眺めた状態を示している。ロッドリターンプレート９は、ハウジングの第２収容部において、上下方向にスライド自在に収容されている。ロッドリターンプレート９のスライド方向は、操作用ロッド３２のスライド方向と直交する方向であって、スライドプレート７のスライド方向と一致する。ロッドリターンプレート９は、本発明における第２プレート部材に相当する。
【００６８】
ロッドリターンプレート９は、略矩形板状のプレート本体部９３と、プレート本体部９３から立設する立ち上り部９２を有する。立ち上り部９２は、プレート本体部９３における幅方向中央部かつ下端寄りの部分に設けられており、プレート本体部９３の長辺方向に沿って伸びている。また、図３に示されるように、立ち上り部９２の先端は、他の部分に比べて幅が一段狭い先端段差部９２１が形成されている。図１にも示したクリアボタン２３は、図３２に示されるように、使用者が把持するためのボタン把持部２３１と、ロッドリターンプレート９に設けられた立ち上り部９２の先端段差部９２１と係合する略コの字形の係合凹部２３２を有している。ボタン錠１００は、ロッドリターンプレート９における立ち上り部９２の先端段差部９２１を、クリアボタン２３の係合凹部２３２に係合させた状態で組み上げられる。これにより、クリアボタン２３がスライド操作された際に、ロッドリターンプレート９も連動してスライドするようになる。
【００６９】
更に、ロッドリターンプレート９のプレート本体部９３の表面には、複数の爪部９１、および複数の傾斜突部９４が突設されている。プレート本体部９３における爪部９１と傾斜突部９４は、各押しボタン２２に対応するように、互いに近接して配置されている。ここで、ロッドリターンプレート９の爪部９１は、操作用ロッド３２の胴部本体３２１における第１凹部対３２１ａ，３２１ａおよび第２凹部対３２１ｂ，３２１ｂの何れかに選択的に嵌合されるようになっている。ロッドリターンプレート９の爪部９１が、第１凹部対３２１ａ，３２１ａおよび第２凹部対３２１ｂ，３２１ｂの何れかに嵌合されることで、操作用ロッド３２がロッドリターンプレート９に保持された状態となる。そして、第１凹部対３２１ａ，３２１ａと第２凹部対３２１ｂ，３２１ｂとの間で爪部９１が嵌合する相手が切り替えられることで、ロッドリターンプレート９による操作用ロッド３２の保持状態が変更される。
【００７０】
なお、ロッドリターンプレート９は、ハウジング内において上下方向にスライド自在に
保持されているところ、「初期基準位置」にあるときに、爪部９１がそれぞれ対応する操作用ロッド３２の後方に位置し、第１凹部対３２１ａ，３２１ａおよび第２凹部対３２１ｂ，３２１ｂの何れかに嵌合可能な位置に配置されている（図２９を参照）。図２９に示す状態は、スライドプレート７およびロッドリターンプレート９は何れも各々の初期基準位置にある状態を示している。また、プレート本体部９３における下側の短辺には、ロッドリターンプレート用スプリング９７を保持するための保持ピン９８が、下方に向けて突出している。ロッドリターンプレート用スプリング９７は、ロアケース３の内面から突出する突出片３００とプレート本体部９３との間に介装されている。ロッドリターンプレート９は、ロッドリターンプレート用スプリング９７の付勢力によって、常に上方に向かって押圧されている。
【００７１】
更に、ロッドリターンプレート９は、プレート本体部９３の長辺中間部から側方へ向けて突出する側方アーム９５を有している。この側方アーム９５は、図３２に示されるように、フックベース３８における略コの字形の係合凹部に嵌合されている。このフックベース３８は、図３４、図３５に示されるフック付きアーム３９に連結される部材である。図示のように、ロアケース３には、略矩形状の開口窓３０１が設けられている。開口窓３０１は、ボタン錠１００の上下方向に縦長の開口部である。
【００７２】
フックベース３８は、ロアケース３の裏面側すなわちハウジングの内部側に配置されるベース部３８１と、ベース部３８１に設けられるとともに開口窓３０１に挿入可能なスライド部３８２と、スライド部３８２に突設されるとともにハウジングの外部に露出する軸部３８３と、を有している。ベース部３８１は、開口窓３０１よりも大きな投影面積を有し、開口窓３０１を通り抜けることはできない。一方、スライド部３８２は、開口窓３０１に挿入されており、開口窓３０１の長辺方向すなわちボタン錠１００の上下方向に沿って、所定の範囲内でスライド可能となっている。軸部３８３は、図示のように、フック付きアーム３９の連結部３９１を相対回動自在に軸支するとともに、ネジ等によって連結部３９１と連結されている。
【００７３】
図３４に示すように、フック付きアーム３９には、フックスプリング３９２が装着されている。フックスプリング３９２は、ロアケース３とフック付きアーム３６との間に縮んだ状態で介装されており、フックスプリング３９２によってフック付きアーム３９が上方に向かって付勢されている。また、フック付きアーム３９の先端側にはフック３９３が形成されている。図１６および図３４に示されるように、外筒６の背面側の外周部には、フック付きアーム３９のフック３９３と係合する外筒爪部６７が形成されている。
【００７４】
＜解錠・施錠時の動作＞
［解錠時の動作］
次に、ボタン錠１００の解錠・施錠時における作動内容について詳しく説明する。まず、施錠されているボタン錠１００を解錠する際の動作について説明する。ボタン錠１００が施錠されている状態では、操作摘み４は図６に示すようにＣＬＯＳＥ位置２６に合わせられている。また、後述するように、ボタン錠１００の施錠時には、全ての操作用ロッド３２が自動でクリアされ、押動されていない状態のクリア位置に戻される。なお、クリア位置に戻された操作用ロッド３２は、図３６に示すように、第１凹部対３２１ａ，３２１ａにロッドリターンプレート９の爪部９１が嵌合された状態（以下、「ロッド第１保持状態」という）となっている。
【００７５】
この状態から、ボタン錠１００の解錠に際して、使用者は、設定されている解錠符号に則して押しボタン２２の押動操作を行う。ボタン錠１００の押しボタン２２が押されると、押された押しボタン２２に組み込まれた操作用ロッド３２がクリア位置から軸方向にスライドし、ハウジング内部に押し込まれる。以下、このときの操作用ロッド３２の位置を
「押込み位置」という。クリア位置から押込み位置まで変位した操作用ロッド３２は、図３７に示すように、ロッドリターンプレート９の爪部９１が第２凹部対３２１ｂ，３２１ｂに嵌合された状態（以下、「ロッド第２保持状態」という）となる。ロッドリターンプレート９の爪部９１は、操作用ロッド３２がクリア位置から押込み位置へと変位した際、当該操作用ロッド３２を当該押込み位置に保持する保持手段に相当する。また、ロッドリターンプレート９の爪部９１は、操作用ロッド３２が押込み位置に変位した際に当該操作用ロッド３２に形成された被係合部としての第２凹部対３２１ｂ，３２１ｂに係合する係合部ともいえる。
【００７６】
操作用ロッド３２は、対応する押しボタン２２が押動された際にハウジング内に押し込まれることでクリア位置から押込み位置へと変位する。こうして、押しボタン２２の押動操作によって、押し込まれた押しボタン２２に対応する操作用ロッド３２のみが第２保持状態となり（図３７を参照）、押されなかった押しボタン２２に対応する操作用ロッド３２は第１保持状態に維持される（図３６を参照）。なお、ボタン錠１００の解錠時において、使用者による押し込まれた押しボタン２２は、常にボタンスプリング２２３によって押し上げられているため、使用者の指が離れた時点で、ボタン用開口部２１１に埋没した状態から外部に突出した状態へと移行する。
【００７７】
ボタン錠１００は、解錠符号を任意に設定することができる構造となっている。解錠符号の設定方法については後述するが、ボタン錠１００は、解錠符号に対応する押しボタン２２に装着された操作用ロッド（以下、単に「解錠符号に対応する操作用ロッド」ともいう）３２と、解錠符号に対応しない押しボタン２２に装着された操作用ロッド（以下、単に「解錠符号に対応しない操作用ロッド」ともいう）３２とにおいて、操作用ロッド３２に対する可動ブロック３３の係合位置（保持位置）が異なっている。具体的には、解錠符号に対応しない操作用ロッド３２は第１保持位置に可動ブロック３３が保持され、解錠符号に対応する操作用ロッド３２は第２保持位置に可動ブロック３３が保持される。解錠符号に対応するか否かに応じた操作用ロッド３２に対する可動ブロック３３の保持位置の変更動作に関しては後述する。
【００７８】
上記のように、可動ブロック３３には凹部３３４が設けられており、凹部３３４はスライドロッド４０の突起部４３と相補的な形状を有している。図２９に示す状態では、全ての操作用ロッド３２がロッド第１保持状態にあり、かつ、第１保持位置に可動ブロック３３を装着している。操作用ロッド３２における可動ブロック３３の装着位置と、ロッドリターンプレート９の爪部９１による操作用ロッド３２の保持状態との関係について言及すると、まず、ロッド第１保持状態にある操作用ロッド３２は、可動ブロック３３を第１保持位置に装着した状態のときに、可動ブロック３３の凹部３３４とスライドロッド４０の突起部４３との位置が合致し、凹部３３４に突起部４３を嵌め込むことができる（図２９を参照）。可動ブロック３３の凹部３３４は、本発明における被嵌合部に対応している。また、可動ブロック３３の凹部３３４に嵌合可能なスライドロッド４０の突起部４３が本発明における嵌合部に対応している。
【００７９】
また、本実施形態において、第１保持位置から第２保持位置に変更したときの操作用ロッド３２に対する可動ブロックの変位ずれ量は、操作用ロッド３２をロッド第１保持状態からロッド第２保持状態へ変更したときの操作用ロッド３２の相対移動量に一致するように調整されている。従って、図示はしないが、操作用ロッド３２がロッド第２保持状態にある場合には、可動ブロック３３を第１保持位置にではなく第２保持位置に装着することで、可動ブロック３３の凹部３３４とスライドロッド４０の突起部４３との位置が合致し、突起部４３をちょうど凹部に嵌め込むことができる。
【００８０】
言い換えると、可動ブロック３３が第１保持位置に装着された操作用ロッド３２が第２
保持状態にある場合、あるいは、可動ブロック３３が第２保持位置に装着された操作用ロッド３２が第１保持状態にある場合には、可動ブロック３３の凹部３３４とスライドロッド４０の突起部４３との位置が合致せず、前後方向にずれた状態となる。図３８は、可動ブロック３３が第２保持位置に装着された操作用ロッド３２が第１保持状態にあるときの凹部３３４と突起部４３との相対関係を示す図である。可動ブロック３３の凹部３３４とスライドロッド４０の突起部４３とにおける相対位置がずれることで、突起部４３を凹部３３４に嵌め込む（収容）することができなくなる。この場合、スライドロッド４０における突起部４３の頂部が可動ブロック３３における凹部３３４の縁部と干渉するため、凹部３３４の深さだけ、突起部４３を下方に押し下げられる。更に、スライドロッド４０の突起部４３は、各腕部４２の先端に設けられているところ、各腕部４２は軸本体部４１を介して一体となっている。よって、スライドロッド４０における突起部４３のうちの一つでも可動ブロック３３の凹部３３４に対する相対位置がずれた場合、スライドロッド４０が初期基準位置から下方にスライドすることになる。
【００８１】
図３９に示す例では、符号Ａ〜Ｅで示す操作用ロッド３２のうち、Ｂ、Ｄが第２保持位置に可動ブロック３３が保持されており、Ａ、Ｃ、Ｅが第１保持位置に可動ブロック３３が保持されている。この図の例では、Ａ〜Ｅで示す操作用ロッド３２のうち、第２保持位置に可動ブロック３３が保持されたＢ、Ｄが解錠符号に対応する操作用ロッド３２であるのに対して、当該Ｂ、Ｄに係る操作用ロッド３２はいずれも押動されていない。従って、図示の例では、ボタン錠１００の押しボタン２２が解錠符号に揃っていない。
【００８２】
このように、ボタン錠１００の押しボタン２２が解錠符号に揃っていない場合、少なくとも何れかの操作用ロッド３２に関して、可動ブロック３３の凹部３３４とスライドロッド４０の突起部４３とにおける位置が合致せず、スライドロッド４０が初期基準位置から下方に押し下げられた状態となる。そうすると、図４０に示すように、スライドロッド４０におけるアーム制御部４５がアーム３６の連結部３６２を押し下げる。アーム３６は、アッパーケース２の回転軸３７に軸支されているため、アーム制御部４５によって押し下げられる連結部３６２とは逆に、回転ストッパー３６３が押し上げられる。その結果、アーム３６の回転ストッパー３６３が、外筒６の外周突起片６６に係止され、外筒６の開方向（図４０でいうと、時計廻り方向）への回動が規制される。そして、非常解錠鍵１４やシリンダー交換鍵１５が鍵穴５１に挿入されていない限り、シリンダー５と外筒６との相対回動は規制され、かつ、シリンダー５とこれに装着された操作摘み４とは相対回動ができない構造となっている。そのため、ボタン錠１００の押しボタン２２が解錠符号に揃っていない場合、すなわち押しボタン２２が解錠符号に則して押動操作されていない場合は、アーム３６の回転ストッパー３６３が外筒６の外周突起片６６に係止されることにより、操作摘み４の開操作を規制することができる。
【００８３】
なお、解錠符号に対応する押しボタン２２の全てが押動され、解錠符号に対応しない押しボタン２２が何れも押動されていない状態のときに、ボタン錠１００の押しボタン２２が解錠符号に揃った状態となる。この状態では、全ての操作用ロッド３２に関し、可動ブロック３３の凹部３３４とスライドロッド４０の突起部４３との相対位置が一致するため、可動ブロック３３との干渉に起因するスライドロッド４０の押し下げは起こらない。この場合、図２４に示す状態のように、外筒６の外周突起片６６は回転ストッパー３６３に係止されない。
【００８４】
上記のように、シリンダー５とストッパー１０は、駆動シャフト１２を介して接続されており（図８を参照）、操作摘み４とシリンダー５は係合爪部４３と係合部５３との嵌め合いによって連結されている（図１１を参照）。また、シリンダー５および外筒６は、通常使用時においてはタンブラー５４と係止溝６１との係合によって相対回動が規制されている。これに対して、ボタン錠１００の押しボタン２２が解錠符号に揃った状態では、外
筒６は回転ストッパー３６３によってロックされていないため、外筒６およびシリンダー５に連結されている操作摘み４を開操作することができ、これによってボタン錠１００が内部機構的に解錠される。そして、操作摘み４の開操作に伴い、シリンダー５およびストッパー１０は一体となって回動する。これにより、ストッパー１０を係止位置から離脱位置まで姿勢を変更させることができ、ストッパー１０を施錠対象物の相手側部材から離脱させることで、外部機構的にも解錠することができる。
【００８５】
以上のように、ボタン錠１００は、操作摘み４の動作を規制可能であって、解錠符号に対応する操作用ロッド３２のみが押込み位置にあるときに操作摘みの動作の規制を解除する規制手段を備える。この規制手段は、可動ブロック３３の凹部３３４、スライドロッド４０の突起部４３、アーム３６の回転ストッパー３６３、外筒６の外周突起片６６等を含んで構成される。そして、規制手段は、上述の解錠動作の説明で示したように、ボタン錠１００の押しボタン２２が解錠符号に揃った状態、つまり、可動ブロック３３が第１保持位置に装着されている操作用ロッド３２の全てがクリア位置にあり、かつ、可動ブロック３３が第２保持位置に装着されている操作用ロッド３２の全てが押込み位置にあるときに、操作摘み４の動作の規制を解除することができる。
【００８６】
［施錠時の動作］
次に、ボタン錠１００を施錠する際の動作について説明する。本実施形態に係るボタン錠１００は、内部機構的に解錠状態、すなわち、押しボタン２２が解錠符号に揃った状態にあるボタン錠１００の操作摘み４をＯＰＥＮ位置２５からＣＬＯＳＥ位置２６に合わせる閉操作を行うことで、自動的に施錠される構造となっている。
【００８７】
使用者が、解錠状態にあるボタン錠１００に対して、操作摘み４の閉操作を行うと、操作摘み４と一体となって、シリンダー５および外筒６が閉方向に回動する。ここで、図３４を参照して、外筒６とフック付きアーム３９との相対関係について説明する。図３４は、背面側から眺めたボタン錠１００を示しているため、操作摘み４の閉操作を行うことで、外筒６は図中反時計廻りに回転する。外筒６の外筒爪部６７は、外筒６が閉方向（図中、反時計廻りの方向）に回動する際に、フック付きアーム３９のフック３９３を係止することが可能となっている。一方、外筒６が開方向（図中、時計廻りの方向）に回動する際には、フック付きアーム３９のフック３９３は外筒６の外筒爪部６７によって係止されないように、双方の部材の相対関係が規定されている。
【００８８】
そして、上記のように操作摘みの閉操作に伴い、外筒６が閉方向に回動すると、図示のように、外筒６の外筒爪部６７によってフック付きアーム３９のフック３９３が係止されるため、フック付きアーム３９がフックスプリング３９２に抗して下方に引き下げられる。このようフック付アーム３９が下方へスライドすると、ロアケース３を挟んでフック付アーム３９と連結されているフックベース３８も連動して下方にスライドする。その際、図３２に示した様に、フックベース３８は、その係合凹部がロッドリターンプレート９の側方アーム９５に嵌合されているため、フックベース３８に連動してロッドリターンプレート９も初期基準位置から下方にスライドする。なお、ロッドリターンプレート９の立ち上り部９２には、クリアボタン２３が装着されている。そのため、外筒６が閉方向に回動すると、これに連動してクリアボタン２３もスライドする。
【００８９】
上記のように、外筒６の閉方向への回動に連動して、ロッドリターンプレート９が初期基準位置から下方にスライドすると、図４１に示すように、操作用ロッド３２の第１凹部対３２１ａ，３２１ａまたは第２凹部対３２１ｂ，３２１ｂに嵌合しているロッドリターンプレート９の爪部９１の嵌合状態が解除される。そして、操作用ロッド３２は、図２５に示すロッドスプリング３２４の付勢力によって前方に向けて引っ張られるため、押動されていた操作用ロッド３２が所定のクリア位置に戻される。ロッドリターンプレート９の
爪部９１による操作用ロッド３２の保持が解除されるまでは、解錠符号に対応する操作用ロッド３２のみが押し込まれているため、ここでは解錠符号に対応する操作用ロッド３２のみがクリア位置に戻されることになる（解錠符号に対応しない操作用ロッド３２は、元々クリア位置にある）。
【００９０】
以上のように、ボタン錠１００は、操作用ロッド３２をクリア位置に変位させるクリア手段を備える。このクリア手段は、操作用ロッド３２を押込み位置からクリア位置に戻す方向に付勢する付勢部材としてのロッドスプリング３２４と、ロッドリターンプレート９をスライドさせることで、可動ブロック３３の凹部３３４とスライドロッド４０の突起部４３との嵌合を解除させるスライド手段とを含む。なお、スライド手段は、ストッパー１０の姿勢が離脱姿勢にある状態での操作摘み４の閉操作に、協働してロッドリターンプレート９を下方にスライドさせる、外筒６の外筒爪部６７、フック付きアーム３９のフック３９３、フックベース３８等を含んで構成されている。
【００９１】
なお、ロッドリターンプレート９は、そのプレート本体部９３に傾斜突部９４が突設されている。そのため、操作摘み４の閉操作に伴いロッドリターンプレート９が下方にスライドすると、傾斜突部９４の斜面が、操作用ロッド３２の端部に設けられた溝部３２５（図２５、図２７を参照）の傾斜面３２５ａと衝突する。つまり、ロッドリターンプレート９の傾斜突部９４が操作用ロッド３２を押込み位置からクリア位置に向かって押し上げることにより、操作用ロッド３２に対する爪部９１の嵌合状態を確実に解除することができる。よって、解錠符号に対応する操作用ロッド３２を確実にクリアすることができる。
【００９２】
このように、解錠符号に対応する操作用ロッド３２がクリア位置に戻されると、ボタン錠１００の押しボタン２２が解錠符号に揃っていない状態に移行する。つまり、図３８、図３９を参照して説明したように、全ての操作用ロッド３２が第１保持状態となるため、解錠符号に対応する操作用ロッド３２に関して、可動ブロック３３の凹部３３４の位置とスライドロッド４０の突起部４３の位置が互いにずれ、スライドロッド４０が初期基準位置から下方にスライドする。その結果、図４０に示したように、スライドロッド４０におけるアーム制御部４５によってアーム３６の姿勢が変更され、その回転ストッパー３６３が押し上げられることで外筒６の外周突起片６６に係止される。その結果、外筒６の開方向への回動が規制されるようになり、操作摘み４の開操作が制限される。
【００９３】
その後、操作摘み４をＣＬＯＳＥ位置２６まで回動させる過程において、図４２に示すように、外筒６の外筒爪部６７からフック付きアーム３９のフック３９３が外れることで、両者の係止状態が解除される。その結果、フックスプリング３９２の付勢力によって、フック付きアーム３９が押し上げられ、フックベース３８、ロッドリターンプレート９、クリアボタン２３が一体となって元の通常位置まで押し上げられる。そして、操作摘み４の位置がＣＬＯＳＥ位置２６に至った後は、操作摘み４の開方向への回動ができなくなることで、ボタン錠１００の内部機構的な施錠が完了する。また、操作摘み４、シリンダー５、ストッパー１０は一体となっているため、操作摘み４を閉操作によってＣＬＯＳＥ位置２６まで回転することで、ストッパー１０が係止位置まで回転する。これにより、ストッパー１０が施錠対象物の相手側部材に係止されることで、外部機構的にもボタン錠１００の施錠が完了する。
【００９４】
ところで、従来におけるボタン錠では、解錠時に押しボタンを解錠符号に揃えることはもとより、施錠時に再度改めて解錠符号に則した押しボタンの押動操作を行う必要があった。これに対して、本実施形態におけるボタン錠１００によれば、上記のように解錠状態から操作摘み４を閉操作するだけで施錠することが可能である。従って、本実施形態に係るボタン錠１００は、従来に比べて利便性が高いといえる。
【００９５】
［インジケータ］
なお、ボタン錠１００の施錠時、解錠時におけるインジケータ１３の作動状態について説明する。図１４に示したように、インジケータ１３の表示部１３２において、例えば第１表示領域１３２Ａが赤などといった施錠状態を想起する色に塗られており、第２表示領域１３２Ｂが青や緑などといった解錠状態を想起する色に塗られている。但し、表示部１３２の色分けは上記例に限られず、また、表示部１３２にシールを貼り付けたり、その他適宜の方法によって領域を分けても良い。また、インジケータ１３の表示部１３２は、フロントパネル２１の表示窓２４を通じて外部から視認できるようになっている。
【００９６】
ボタン錠１００の施錠時に操作摘み４の閉操作を行うと、シリンダー５における突出部５３３とインジケータ１３における切欠き部１３１Ｄの縁部との係合によって、シリンダー５に連動してインジケータ１３も回動する。これにより、フロントパネル２１の表示窓２４を通じて視認されるインジケータ１３の表示部１３２が、第２表示領域（例えば、青や緑）に代わって第１表示領域１３２Ａ（例えば、赤）に切り替えられる。一方、ボタン錠１００の開錠時に操作摘み４の開操作を行うと、シリンダー５に連動してインジケータ１３が施錠時とは逆方向に回動するため、フロントパネル２１の表示窓２４を通じてインジケータ１３の第２表示領域（例えば、青や緑）が視認できるようになる。
【００９７】
［解錠符号の設定］
次に、ボタン錠１００における解錠符号の設定方法について説明する。上記のように、ボタン錠１００は、解錠符号を任意に設定することができる。解錠符号の設定変更は、ボタン錠１００が解錠された状態で行われる。より詳しくは、解錠符号の設定変更は、後述するように設定変更スイッチ１１を操作することで行われる。通常時、設定変更スイッチ１１は、リアパネル３０に印字された固定位置３０２に位置が合わせられている。そして、設定変更スイッチ１１は、使用者によって、固定位置３０２の他、リセット位置３０３、設定位置３０４に切り替え操作が可能となっている（図２を参照）。設定変更スイッチ１１は、本発明における操作スイッチ部に相当する。
【００９８】
設定変更スイッチ１１は、ボタン錠１００が内部機構的に解錠されている場合に限り固定位置３０２からリセット位置３０３や設定位置３０４への切り替え操作が可能である。つまり、ボタン錠１００が内部機構的に施錠されている場合、設定変更スイッチ１１は、固定位置３０２からリセット位置３０３や設定位置３０４への切り替え操作が規制される構造となっている。つまり、ボタン錠１００が解錠されている場合に限り、解錠符号の設定変更操作が可能となる。
【００９９】
解錠符号の設定に際しては、まず、ボタン錠１００の背面にある設定変更スイッチ１１を、リアパネル３０に印字された固定位置３０２からリセット位置３０３まで回転させる。図３および図４に示すように、設定変更スイッチ１１は、円板状の操作部１１２と、この操作部１１２に連結される軸部１１３とを有する。操作部１１２は、図２に示すようにリアパネル３０の開口部を通じて外部に露出している。操作部１１２の表面には操作用の溝部が形成されている。使用者は、操作部１１２の溝部にコイン等を嵌めて回転させることで、設定変更スイッチ１１を、図２に示す固定位置３０２、リセット位置３０３、設定位置３０４の何れかに切り替え可能となっている。
【０１００】
また、設定変更スイッチ１１における軸部１１３のうち、操作部１１２との接続される基端部近傍には、円板状を有する円板部１１４が設けられており、この円板部１１４の裏面には、棒状のピン１１５（図４３を参照）が突出している。また、軸部１１３における円板部１１４よりも下方領域には、扇形（略４分の１円）の横断面を有する扇形部１１１が形成されている。軸部１１３の先端側は、アッパーケース２に対して回転自在に取り付けられている。図３および図４に示すように、ロッドリターンプレート９のプレート本体
部９３には、設定変更スイッチ１１における軸部１１３（扇形部１１１）とプレート本体部９３とが干渉することを回避するための切欠き凹部９６が形成されている。
【０１０１】
図４３および図４４は、ロッドリターンプレート９と設定変更スイッチ１１の軸部１１３との相対関係を示す図である。両図には、ロッドリターンプレート９の裏面、すなわち上述した爪部９１が突設されていない方の面を示している。図４、図４３、図４４等に示すように、プレート本体部９３の下方隅部には、設定変更スイッチ１１の操作部１１２を反時計廻りに回動させた際に、円板部１１４から突出するピン１１５を受け止めて係止するピン受け部９７が形成されている。また、図３０に示すように、スライドプレート７の角穴部７４には、設定変更スイッチ１１の扇形部１１１が挿入されている。図３０には、設定変更スイッチ１１が固定位置３０２に合わせられている状態での扇形部１１１と角穴部７４との相対関係が示されている。また、図４３には、設定変更スイッチ１１が固定位置３０２に合わせられている状態でのピン１１５とピン受け部９７との相対関係が示されている。
【０１０２】
上記のように、設定変更スイッチ１１の位置は、使用者によって、固定位置３０２からリセット位置３０３まで変更される。その際、まず、設定変更スイッチ１１の位置が固定位置３０２から設定位置３０４に至る過程で、設定変更スイッチ１１の扇形部１１１がその側面でスライドプレート７の角穴部７４の縁部を押圧する。その結果、スライドプレート７が初期基準位置から下方にスライドする。上記のように、スライドプレート７の収容凹部７５にはスライドロッド４０が収容されているため、スライドロッド４０もスライドプレート７と共に初期基準位置から下方にスライドする。つまり、設定変更スイッチ１１の位置が固定位置３０２から設定位置３０４に至る過程で、ハウジング内におけるスライドプレート７、および、スライドロッド４０が一体となって初期基準位置から下方にスライド移動する。なお、固定位置３０２から設定位置３０４に切り替えられた状態においても、ロッドリターンプレート９は初期基準位置に保持されている。
【０１０３】
上記のように、スライドプレート７が初期基準位置から下方にスライドすることにより、操作用ロッド３２に対して装着されていた可動ブロック３３の装着状態が解除され、操作用ロッド３２から可動ブロック３３が離脱する。このように、ハウジング内をスライドするスライドプレート７のうち、ブロック収容孔部７１ａに収容する可動ブロック３３が操作用ロッド３２から離脱する位置を「離脱位置」と称する。そうすると、図４５、図４６に示す状態のように、操作用ロッド３２に対する可動ブロック３３の嵌め合いが解除され、ボタン錠１００における解錠符号の設定が可能な状態となる。本実施形態においては、設定変更スイッチ１１の扇形部１１１が第１プレート部材としてのスライドプレート７をスライドさせることによって、可動ブロック３３が操作用ロッド３２に装着された状態に維持される初期基準位置（初期位置）と可動ブロック３３が操作用ロッド３２から離脱した状態に維持される離脱位置との間で、操作用ロッド３２に対する可動ブロック３３の着脱状態を切り替える切り替え手段に相当する。そして、設定変更スイッチ１１（操作スイッチ部）が通常位置としての固定位置３０２に操作されているときにスライドプレート７を初期位置に保持し、設定変更スイッチ１１が固定位置３０２から設定位置３０４に切り替えられたときにスライドプレート７を初期基準位置から離脱位置にスライドさせる。
【０１０４】
ところで、現在、ボタン錠１００は解錠状態にあるため、解錠符号に対応する操作用ロッド３２はロッド第２保持状態にあり、解錠符号に対応しない操作用ロッド３２は第１保持状態にある。つまり、解錠符号を設定する際、ボタン錠１００は解錠状態にあるため、ロッド第１保持状態とロッド第２保持状態とにある操作用ロッド３２が混在している。そこで、本実施形態においては、設定変更スイッチ１１の位置を、更に設定位置３０４からリセット位置３０３まで変更する。そうすると、図４４に示すように、設定変更スイッチ１１の円板部１１４に設けられたピン１１５がロッドリターンプレート９のピン受け部９
７と係合し、ロッドリターンプレート９を初期基準位置から下方へとスライドさせる。ロッドリターンプレート９が初期基準位置から下方にスライドすると、係合部としての爪部９１が、被係合部としての操作用ロッド３の第１凹部対３２１ａ，３２１ａ又は第２凹部対３２１ｂ，３２１ｂから離脱し、双方の係合を解除される。
【０１０５】
更に、ロッドリターンプレート９には、傾斜突部９４が設けられているため、第２保持状態にある操作用ロッド３２の傾斜面３２５ａにロッドリターンプレート９の傾斜突部９４が衝突することで、第２保持状態にある操作用ロッド３２を押し上げる。その結果、全ての操作用ロッド３２が確実にクリア位置にクリアされる（第１保持状態にある操作用ロッド３２は、もともとクリア位置に保持されている）。
【０１０６】
次に、設定変更スイッチ１１を逆方向に回転させ、リセット位置３０３から設定位置３０４に戻す。この操作によって、設定変更スイッチ１１におけるピン１１５とロッドリターンプレート９のピン受け部９７との関係が、図４４に示す関係から図４３に示す関係に戻る。つまり、設定変更スイッチ１１におけるピン１１５とロッドリターンプレート９におけるピン受け部９７との係合状態が解除される。これにより、設定変更スイッチ１１のピン１１５によってロッドリターンプレート９が下方に押圧されなくなるため、ロッドリターンプレート用スプリング９７の付勢力によって、ロッドリターンプレート９が押し上げられる。つまり、ハウジング内において、ロッドリターンプレート９が上方にスライドすることで、元の位置に戻される。
【０１０７】
その結果、ロッドリターンプレート９の爪部９１が操作用ロッド３２の第１凹部対３２１ａ，３２１ａに嵌合されたロッド第１保持状態となる（図１１を参照）。このとき、スライドプレート７およびこれに保持されたスライドロッド４０は、依然として、下方にスライドした状態に保持されており、可動ブロック３３は操作用ロッド３２から離脱した状態となっている。
【０１０８】
この状態から、使用者は、新たに設定する解錠符号に対応する押しボタン２２を押し込む操作を行う。そうすると、新たな解錠符号に対応する操作用ロッド３２のみが、ロッド第１保持状態からロッド第２保持状態へと移行される。つまり、新たな解錠符号に対応する操作用ロッド３２のみが、図３７に示すように、胴部本体３２１の第２凹部対３２１ｂ，３２１ｂにロッドリターンプレート９の爪部９１が嵌合されることで、ロッド第２保持状態へと変更される。一方、その他の操作用ロッド３２については、ロッド第１保持状態に保持されている。
【０１０９】
ここで、各操作用ロッド３２に対して可動ブロック３３は離脱した状態に保持されている。この状態から、使用者は、設定変更スイッチ１１を設定位置３０４から固定位置３０２へと回転させる。そうすると、それまで角穴部７４の縁部を押圧していた設定変更スイッチ１１の扇形部１１１による押圧状態が解除される。その結果、ガイドスプリング７３の付勢力によって、スライドプレート７およびスライドロッド４０が一体となって押し上げられ、初期基準位置に戻る。そして、スライドプレート７のブロック収容孔部７１ａには可動ブロック３３が収容されているため、スライドプレート７がスライドして元の初期基準位置に戻ることで、操作用ロッド３２に可動ブロック３３が装着される。また、設定変更スイッチ１１が設定位置３０４から固定位置３０２に回転させた際に、スライドロッド４０も元の初期基準位置にスライドする。そのため、スライドロッド４０の突起部４３は、各操作用ロッド３２の第１保持位置又は第２保持位置に装着された可動ブロック３３の凹部３３４に嵌め込まれる。
【０１１０】
例えば、解錠符号の設定変更時において、設定変更スイッチ１１を設定位置３０４に合わせた際、使用者が、「２」、「５」、「７」、「８」に対応する押しボタン２２を押動
した場合、これらに対応する操作用ロッド３２がロッドリターンプレート９の爪部９１との関係でロッド第２保持状態となり、それ以外の操作用ロッド３２がロック第１保持状態となる。そして、この状態から設定変更スイッチ１１が固定位置３０２へと合わせられると、ロッド第２保持状態にある「２」、「５」、「７」、「８」に対応する操作用ロッド３２に対しては第２保持位置に可動ブロック３３が装着され、それ以外の操作用ロッド３２に対しては第１保持位置に可動ブロック３３が装着される。
【０１１１】
以上のように、操作用ロッド３２に対する可動ブロック３３の装着位置が、使用者により選択された新たな解錠符号に基づいて変更されることで、解錠符号の設定変更が完了する。以上のように、本実施形態に係るボタン錠１００によれば、解錠符号を任意の符号に設定することができる。なお、解錠符号の設定が完了した時点では、ボタン錠１００は解錠状態にあるため、上述したように、操作摘み４をＯＰＥＮ位置２５からＣＬＯＳＥ位置２６に合わせる閉操作を行うことで、自動的にボタン錠１００を施錠することができる。
【０１１２】
なお、上述したボタン錠１００における解錠符号の設定方法において、設定変更スイッチ１１を固定位置３０２から一旦リセット位置３０３まで回転させるのは、解錠符号の設定変更を行う際にはボタン錠１００が解錠状態にあり、かつ、ボタン錠１００を解錠する際には少なくとも１つの操作用ロッド３２が押し込まれていることによる。このように、少なくとも１つの操作用ロッド３２がロッド第２保持状態にあるため、本実施形態では、一度全ての操作用ロッド３２をクリア位置にクリアしてから、設定変更スイッチ１１を設定位置に合わせて押しボタン２２を押し込む操作を行う。これにより、ボタン錠１００に係る解錠符号の設定変更に際して、解錠符号を確実に所望の設定に変更することができる。
【０１１３】
なお、本実施形態に係るボタン錠１００は、使用者が解錠符号を任意に設定することができるのは上記の通りであるが、特に、ボタン錠１００の正面側からの押しボタン２２の押動操作によって設定変更作業を行うことができる点が優れている。
【０１１４】
すなわち、従来のボタン錠においては、押しボタンが設けられていない背面側に、各押しボタンに対応する操作スイッチが設けられており、この操作スイッチを切り替え操作することで、解錠符号の設定を変更する構造が採用されている。このような従来方式による解錠符号の設定変更機構では、例えばボタン錠を引き出し等に適用した場合などのように、背面を視認しにくい箇所にボタン錠を設置した場合、解錠符号の設定変更作業が行いにくいという課題がある。このように、従来のボタン錠では、ボタン錠の設置条件次第では、解錠符号の設定変更を行うための操作スイッチを視認しにくい状態で操作せざるを得ないため、使用者の意図通りに新たな解錠符号が設定されない設定ミス（エラー）を招く虞がある。
【０１１５】
これに対して、本実施形態に係るボタン錠１００によれば、ボタン錠１００の正面側から、押しボタン２２の押動操作によって解錠符号を設定することができるため、解錠符号の設定変更作業の作業性を従来に比べて向上させることが可能であり、かつ、より確実に新たな解錠符号を使用者が意図した符号に変更することができる。つまり、解錠符号の設定ミスが起こることを好適に抑制することができる。なお、本実施形態のボタン錠１００において、設定変更スイッチ１１自体はロアケース３側に設けられているものの、この設定変更スイッチ１１の操作は、解錠符号の設定作業の開始時と終了時に操作すれば足りるので、解錠符号の設定変更操作の作業性が低下することはない。そして、解錠符号の設定操作自体はボタン錠１００の正面側に設けられた押しボタン２２の押動操作によって行われるため、解錠符号の設定ミスが起こることはない。
【０１１６】
ここで、ボタン錠１００が解錠されている場合に限り解錠符号の設定変更操作を可能と
する構造について説明する。図３、４等に示したように、ミドルプレート８には、可動ブロック３３を収容可能なブロック収容凹部８１が形成されている。また、上記のように、解錠符号に対応しない操作用ロッド３２は第１保持位置に可動ブロック３３が保持され、解錠符号に対応する操作用ロッド３２は第２保持位置に可動ブロック３３が保持されている。
【０１１７】
ここで、ミドルプレート８が初期基準位置にあるときに、ある解錠符号に対応しない操作用ロッド３２が押し込まれてロッド第２保持状態になると、その操作用ロッド３２に装着された可動ブロック３３は、スライドプレート７のブロック収容孔部７１ａとミドルプレート８のブロック収容凹部８１の両者に跨って配置された状態となる。つまり、可動ブロック３３の前方側がブロック収容孔部７１ａに収容され、後方側がブロック収容凹部８１に収容された状態となる。この状態では、設定変更スイッチ１１を固定位置３０２から他の位置に切り替えようとしても、ブロック収容孔部７１ａおよびブロック収容凹部８１の双方に可動ブロック３３が挿入されているため、スライドプレート７を初期基準位置から下方にスライドすることが規制される。
【０１１８】
一方、解錠符号に対応する操作用ロッド３２が押し込まれていない状態、すなわちロッド第１保持状態にある場合、その可動ブロック３３は、アッパーケース２の内面側に形成されたブロック収容凹部２８（図４を参照）とスライドプレート７のブロック収容孔部７１ａの双方に跨って配置された状態となる。つまり、この場合、可動ブロック３３の前方側がブロック収容凹部２８に収容され、後方側がブロック収容孔部７１ａに収容された状態となる。なお、アッパーケース２のブロック収容凹部２８は、ミドルプレート８のブロック収容凹部８１と対向して配置されており、スライドプレート７が初期基準位置にあるときにはスライドプレート７のブロック収容孔部７１ａとも位置が合致する。この状態では、設定変更スイッチ１１を固定位置３０２から他の位置に切り替えようとしても、アッパーケース２のブロック収容凹部２８およびスライドプレート７のブロック収容孔部７１ａの双方に可動ブロック３３が挿入されているため、スライドプレート７を初期基準位置から下方にスライドすることが規制される。
【０１１９】
以上より、ボタン錠１００が内部機構的に施錠されている状態では、スライドプレート７が初期基準位置からスライドすることは規制されるため、設定変更スイッチ１１を固定位置３０２から他の位置に切り替えることが制限される。なお、解錠符号に対応する操作用ロッド３２のみが押し込まれることでロッド第２保持状態にある場合、全ての操作用ロッド３２に装着されている可動ブロック３３全体が、スライドプレート７のブロック収容孔部７１ａに収容される。この状態では、初期基準位置からのスライドプレート７のスライドは阻害されないため、設定変更スイッチ１１を固定位置３０２から他の位置に切り替えることが可能となる。このようにして、ボタン錠１００が解錠されている場合には、解錠符号の設定変更操作が可能となる。
【０１２０】
＜解錠符号の検索＞
次に、ボタン錠１００における解錠符号の検索方法について説明する。ボタン錠１００は、解錠符号を検索する機構が備えられている。上記のように、本実施形態に係るボタン錠１００は、使用者が解錠符号を忘れた時などの際に非常解錠鍵１４を用いて強制的に解錠することが可能である。非常解錠鍵１４を使用した非常解錠方法については既述した通りであるが、ボタン錠１００は、解錠符号の検索機構を有しており、非常解錠時に併せて解錠符号を検索することができる。以下、解錠符号の検索機構について詳しく説明する。
【０１２１】
非常解錠鍵１４を使用したボタン錠１００の非常解錠については既述のため、ここでの詳細は省略する。解錠符号の検索作業は、ボタン錠１００の非常解錠が完了して、ストッパー１０を係止位置から離脱位置へと回転させて、例えばロッカーの扉等の施錠対象物を
開けた後、ボタン錠１００における全ての押しボタン２２を押すことで実現される。より詳しく説明すると、上記のように押しボタン２２が押されると、操作用ロッド３２も連動して押し込まれる。その際、操作用ロッド３２に装着された状態の可動ブロック３３も、スライドプレート７のブロック収容孔部７１ａ内を、ミドルプレート８に近づく方向へ相対移動する。
【０１２２】
ここで、図３１に示したように、スライドプレート７の検索ピン挿通孔部７１ｂには、検索ピン３４が挿通され、この検索ピン３４は、その係止片３４２が可動ブロック３３の後端面に当接した状態で位置決めおよび保持されている。つまり、検索ピン３４は、可動ブロック３３を介して操作用ロッド３２に取り付けられている。そして、解錠符号検索時において、押しボタン２２の押し込み操作に連動して操作用ロッド３２に装着された可動ブロック３３がミドルプレート８側に向けてスライドすると、可動ブロック３３の後端面に係止片３４２が引っ掛かっている検索ピン３４も、操作用ロッド３２および可動ブロック３３に連動してスライドする。
【０１２３】
図３に示すように、ミドルプレート８には、各検索ピン３４を挿通する貫通孔８３が設けられている。また、図２、４、５等に示すように、ロアケース３には、各検索ピン３４の先端側を挿通可能なピン挿通孔３０５が貫通形成されている。そして、ロアケース３の外面における各ピン挿通孔３０５の近傍には、そのピン挿通孔３０５が何れの押しボタン２２に対応しているかを示すマーク３０６が表示されている。ここでは、「０」〜「９」の数字がロアケース３に印字されている。また、リアパネル３０には、「※」マークの押しボタン２２に対応する検索ピン３４を挿通可能な挿通孔３０５が設けられており、その近傍には「※」のマーク３０６が印字されている。ピン挿通孔３０５は、本発明におけるピン突出孔に相当する。
【０１２４】
ここで、操作用ロッド３２と可動ブロック３３との関係について着目すると、解錠符号に対応するか否かによって、操作用ロッド３２に対する可動ブロック３３の装着位置が相違する。すなわち、解錠符号に対応する操作用ロッド３２には第２保持位置に可動ブロック３３が装着され、その他の操作用ロッド３２には第１保持位置に可動ブロック３３に装着されている。そして、操作用ロッド３２の第２保持位置は、第１保持位置に比べて前端の頭部３２３側に位置しているため、解錠符号に対応しない操作用ロッド３２に装着される可動ブロック３３の方が、解錠符号に対応する操作用ロッド３２に装着される可動ブロック３３よりも、ミドルプレート８側に近づいた状態に位置することになる。従って、解錠符号に対応していない操作用ロッド３２に装着された可動ブロック３３と係合する検索ピン３４は、解錠符号に対応する操作用ロッド３２に装着された可動ブロック３３と係合する検索ピン３４よりも、ボタン錠１００の背面側に位置するといえる。
【０１２５】
ここで、検索ピン３４の長さ、詳しくは検索ピン３４の先端から係止片３４２までの長さは、解錠符号に対応しない検索ピン３４（可動ブロック３３が第１保持位置に装着されている操作用ロッド３２に対応する検索ピン３４）の先端部がボタン錠１００の背面に設けられたピン挿通孔３０５からハウジングの外部に突出し、解錠符号に対応する検索ピン３４（可動ブロック３３が第２保持位置に装着されている操作用ロッド３２に対応する検索ピン３４）の先端部がボタン錠１００の背面に設けられたピン挿通孔３０５から外部に突出しないような長さに調整されている。つまり、各検索ピン３４は、操作用ロッド３２がクリア位置から押込み位置へと変位した際、その操作用ロッド３２が解錠符号に対応するか否かによって、前者の場合には検索ピン３４の先端側がピン挿通孔３０５を通じてハウジングの外部に突出するように、後者の場合には検索ピン３４の先端側が外部に突出しないように、その長さが決定されている。
【０１２６】
本実施形態に係る検索ピン３４によれば、上記のように、使用者によって全ての押しボ
タン２２が押されることで、解錠符号に対応しない検索ピン３４のみ、ボタン錠１００における背面のピン挿通孔３０５から先端部が突出する。よって、ピン挿通孔３０５から突出する検索ピン３４に基づいて、何れの押しボタン２２が解錠符号に対応するものかを判別することができる。つまり、使用者は、全ての押しボタン２２を押した際に、ピン挿通孔３０５から突出する検索ピン３４に対応する押しボタン２２が解錠符号に該当していないことが判り、突出していない検索ピン３４に対応する押しボタン２２が解錠符号に該当することを認識することができる。
【０１２７】
例えば、図５に示す例では、「０」、「２」、「７」に対応する検索ピン３４がボタン錠１００の背面から突出しているため、「０」、「２」、「７」以外の押しボタン２２である「１」、「３」〜「６」、「８」、「９」、「※」が現在の解錠符号として設定されていることが判る。そこで、使用者は、例えば、クリアボタン２３をスライド操作して、一旦全ての操作用ロッド３２をクリアしてから、検索した解錠符号に対応する押しボタン２２を押すことで、解錠符号に揃えることができる。その結果、ボタン錠１００を解錠することができる。
【０１２８】
なお、ボタン錠１００の通常使用時においては、使用者が、解錠符号に則して押しボタン２２を操作した際には、いずれの検索ピン３４もボタン錠１００の背面に設けられたピン挿通孔３０５から突出することはない。そして、解錠符号に対応する全ての押しボタン２２が押され、かつ、解錠符号に対応しない押しボタン２２が1つも押されていない状態
で初めてボタン錠１００が解錠されるため、押しボタン２２の操作によってボタン錠１００を解錠した際には、何れの検索ピン３４もピン挿通孔３０５から突出しない状態となる。従って、使用者がボタン錠１００を解錠した際に第三者から覗き見されたとしても、検索ピン３４の突出状態に基づいて第三者に解錠符号を探られる虞がない。なお、本実施形態に係る検索ピン３４の先端部は、ピン挿通孔３０５から突出した際に視認し易いような色を有していても良い。これによれば、解錠符号の検索時において、使用者は解錠符号の判別をより一層容易に行うことができる。
【０１２９】
＜アンチピッキング＞
本実施形態に係るボタン錠１００は、ピッキングによる不正解錠を防ぐための構造を備えている。図４０を参照すると、図示の状態は、ボタン錠１００が内部機構的に施錠された状態にあり、アーム３６の回転ストッパー３６３が外筒６の外周突起片６６に係止されることで、外筒６の開方向への回動が規制されている。この状態において、回転ストッパー３６３の先端部は、外周突起片６６の付け根部分（基端部分）ではなく、外周突起片６６の側面に当接している。つまり、回転ストッパー３６３における外周突起片６６との当接部と、外周突起片６６の基端部分には若干の隙間が設けられている。
【０１３０】
ところで、従来のプッシュボタン錠は、施錠状態にあっても、不正な扱い者が操作摘みを開方向にテンションを掛けた状態で押しボタンを操作することで、押しボタンを押す際の感触の僅かな違いから解錠符号が不正に探られてしまう虞がある。
【０１３１】
これに対して、本実施形態に係るボタン錠１００によれば、施錠状態にあるときに操作摘み４を開方向に無理やり回転させようとテンションを掛けても、外筒６の外周突起片６６がアーム３６の回転ストッパー３６３を下からすくい上げようと動作する（図４０を参照）。
【０１３２】
これにより、アーム３６は、回転軸３７に軸支される軸受け部３６１を中心に回動し、連結部３６２がハウジング内において僅かに下方に押し下げられる。そして、アーム３６の連結部の動作に連動し、スライドロッド４０も下方に向けて僅かにスライドするため、スライドロッド４０の突起部４３と可動ブロック３３の凹部３３４との関係が、図３８に
示される状態から図４７に示される状態へと移行する。つまり、可動ブロック３３における凹部３３４の縁部とスライドロッド４０の突起部４３とが、当接状態から、双方が僅かに離反した状態に移行する。
【０１３３】
従って、不正者が操作摘み４を開方向へ無理やり回そうとテンションを掛けても、そのテンションは、スライドロッド４０、可動ブロック３３を通じて操作用ロッド３２に伝達されることがなく、むしろ、スライドロッド４０を操作用ロッド３２から離反させる方向に作用する。よって、不正者が、操作摘み４を開方向へテンションを掛けた状態で、押しボタン２２を押圧する等の不正操作を行っても、解錠符号に該当する押しボタン２２と該当しない押しボタン２２とを押圧した際の感触に差が生じることがない。従って、不正者に解錠符号を不正に探られてしまうことを抑制できる。
【０１３４】
なお、本実施形態に係るプッシュボタン錠は、本発明の要旨を逸脱しない範囲内で種々の変更を加えることができる。例えば、本実施形態に係るプッシュボタン錠においては、被嵌合部として可動ブロック３３には凹部３３４を例示し、この凹部３３４に嵌合可能な嵌合部としてロッドリターンプレート９の爪部９１を例示しているが、ロッドリターンプレート９側に凹部を設け、この凹部に嵌合可能な凸部を可動ブロック３３側に設けるようにしてもよい。
【符号の説明】
【０１３５】
２・・・アッパーケース
３・・・ロアケース
４・・・操作摘み
５・・・シリンダー
６・・・外筒
７・・・スライドプレート
８・・・ミドルプレート
９・・・ロッドリターンプレート
１０・・・ストッパー
１１・・・設定変更スイッチ
２２・・・押しボタン
３２・・・操作用ロッド
３３・・・可動ブロック
３４・・・検索ピン
４０・・・スライドロッド
１００・・・ボタン錠
【図１】
2014129678.tif 000003
【図２】
2014129678.tif 000004
【図３】
2014129678.tif 000005
【図４】
2014129678.tif 000006
【図５】
2014129678.tif 000007
【図６】
2014129678.tif 000008
【図７】
2014129678.tif 000009
【図８】
2014129678.tif 000010
【図９】
2014129678.tif 000011
【図１０】
2014129678.tif 000012
【図１１】
2014129678.tif 000013
【図１２】
2014129678.tif 000014
【図１３】
2014129678.tif 000015
【図１４】
2014129678.tif 000016
【図１５】
2014129678.tif 000017
【図１６】
2014129678.tif 000018
【図１７】
2014129678.tif 000019
【図１８】
2014129678.tif 000020
【図１９】
2014129678.tif 000021
【図２０】
2014129678.tif 000022
【図２１】
2014129678.tif 000023
【図２２】
2014129678.tif 000024
【図２３】
2014129678.tif 000025
【図２４】
2014129678.tif 000026
【図２５】
2014129678.tif 000027
【図２６】
2014129678.tif 000028
【図２７】
2014129678.tif 000029
【図２８】
2014129678.tif 000030
【図２９】
2014129678.tif 000031
【図３０】
2014129678.tif 000032
【図３１】
2014129678.tif 000033
【図３２】
2014129678.tif 000034
【図３３】
2014129678.tif 000035
【図３４】
2014129678.tif 000036
【図３５】
2014129678.tif 000037
【図３６】
2014129678.tif 000038
【図３７】
2014129678.tif 000039
【図３８】
2014129678.tif 000040
【図３９】
2014129678.tif 000041
【図４０】
2014129678.tif 000042
【図４１】
2014129678.tif 000043
【図４２】
2014129678.tif 000044
【図４３】
2014129678.tif 000045
【図４４】
2014129678.tif 000046
【図４５】
2014129678.tif 000047
【図４６】
2014129678.tif 000048
【図４７】
2014129678.tif 000049